(57)【要約】      （修正有）【課題】複数の電池を用いて電動機器に電力供給するにあたり、回路構成の複雑化を低減しつつ、部品コストを低減できる電力供給装置および電力供給システムを提供する。【解決手段】電力供給装置１０は、複数（４個以上）のパック接続部３３ａ１〜３５ａ４に接続された複数の電池パック３３ｃ１〜３５ｃ４を用いて出力部から電圧出力するにあたり、複数の電池パックを、第１パック並列接続部３３および第２パック並列接続部３５のうちいずれかに分類した上で、第１パック並列接続部と出力部との接続状態を固定状態としつつ、第２パック並列接続部と出力部との接続状態を切り替える。このような構成は、複数（４個以上）の電池パックと出力部との接続状態を様々なパターンに切り替える構成に比べて、接続状態のパターンを減らし、出力電圧スイッチ部３７の構成を簡略化できる。これにより、出力電圧スイッチ部のコスト増加を抑制できる。【選択図】図２
2020061910.tif 000002
【特許請求の範囲】
【請求項１】
正極端子および負極端子を有する電池パックが接続されるパック接続部を複数備えるとともに、前記複数のパック接続部に接続された複数の前記電池パックを並列接続可能に構成された第１パック並列接続部と、
正極端子および負極端子を有する電池パックが接続されるパック接続部を複数備えるとともに、前記複数のパック接続部に接続された複数の前記電池パックを並列接続可能に構成された第２パック並列接続部と、
グランド出力端子、第１正極出力端子、第２正極出力端子の３つの出力端子を少なくとも備える出力部と、
前記第２パック並列接続部と前記出力部との電気的接続状態を切り替えるように構成された出力電圧スイッチ部と、
前記出力電圧スイッチ部を制御する制御部と、
を備える電力供給装置であって、
前記第１パック並列接続部は、前記電池パックの前記正極端子を前記第１正極出力端子に接続するとともに、前記電池パックの前記負極端子を前記グランド出力端子に接続するように構成されており、
前記出力電圧スイッチ部は、前記第２パック並列接続部に接続された前記電池パックの前記正極端子の接続状態を、前記第２正極出力端子のみに接続される状態、および少なくとも前記第１正極出力端子に接続される状態のうち、いずれかに切り替えるように構成されるとともに、前記第２パック並列接続部に接続された前記電池パックの前記負極端子の接続状態を、前記第１正極出力端子に接続される状態、および前記グランド出力端子に接続される状態のうち、いずれかに切り替えるように構成され、
前記制御部は、前記出力部から出力すべき電圧出力状態を判定して、判定結果に基づき前記出力電圧スイッチ部を制御する、
電力供給装置。
【請求項２】
前記第１パック並列接続部は、前記複数のパック接続部のそれぞれに直列接続された複数の個別スイッチ部を備えており、
前記第２パック並列接続部は、前記複数のパック接続部のそれぞれに直列接続された複数の個別スイッチ部を備えており、
前記制御部は、前記グランド出力端子と前記第１正極出力端子との間に、前記複数の電池パックのうち１個の電池パックが接続されるように、前記複数の個別スイッチ部および前記出力電圧スイッチ部を制御する、
請求項１に記載の電力供給装置。
【請求項３】
前記第１パック並列接続部は、前記複数のパック接続部のそれぞれに直列接続された複数の個別スイッチ部を備えており、
前記第２パック並列接続部は、前記複数のパック接続部のそれぞれに直列接続された複数の個別スイッチ部を備えており、
前記制御部は、前記グランド出力端子と前記第２正極出力端子との間に、前記複数の電池パックのうち２個の電池パックが直列接続されるように、前記複数の個別スイッチ部および前記出力電圧スイッチ部を制御する、
請求項１に記載の電力供給装置。
【請求項４】
前記制御部は、
前記第１パック並列接続部から電圧出力する場合には、前記第１パック並列接続部に接続された前記複数の電池パックのうち現在電圧が最も高い電池パックを用いて電圧出力するように、前記第１パック並列接続部に備えられる前記複数の個別スイッチ部を制御し、
前記第２パック並列接続部から電圧出力する場合には、前記第２パック並列接続部に接続された前記複数の電池パックのうち現在電圧が最も高い電池パックを用いて電圧出力するように、前記第２パック並列接続部に備えられる前記複数の個別スイッチ部を制御する、
請求項２または請求項３に記載の電力供給装置。
【請求項５】
前記制御部は、外部から取得した識別子情報に基づいて、前記出力部から出力すべき電圧出力状態を判定する、
請求項１から請求項４のうちいずれか一項に記載の電力供給装置。
【請求項６】
前記制御部は、
前記識別子情報として、１個の前記電池パックの定格出力電圧を出力する電圧出力状態を示す識別子情報を取得した場合には、前記複数の電池パックのうち１個の電池パックを前記グランド出力端子と前記第１正極出力端子との間に接続するように前記出力電圧スイッチ部を制御し、
前記識別子情報として、１個の前記電池パックの定格出力電圧の２倍の電圧を出力する電圧出力状態を示す識別子情報を取得した場合には、前記複数の電池パックのうち直列接続した２個の電池パックを前記グランド出力端子と前記第２正極出力端子との間に接続するように前記出力電圧スイッチ部を制御する、
請求項５に記載の電力供給装置。
【請求項７】
前記制御部は、前記識別子情報を取得できない場合には、前記出力部からの電圧出力を停止するように、前記出力電圧スイッチ部を制御する、
請求項５または請求項６に記載の電力供給装置。
【請求項８】
前記第１パック並列接続部は、前記複数のパック接続部として、３個以上のパック接続部を備え、
前記第２パック並列接続部は、前記複数のパック接続部として、３個以上のパック接続部を備える、
請求項１から請求項７のうちいずれか一項に記載の電力供給装置。
【請求項９】
前記電池パックは、前記電池パックの状態を表す状態通知信号を出力するように構成され、
前記制御部は、
前記第１パック並列接続部および前記第２パック並列接続部に接続された前記複数の電池パックの前記状態通知信号に基づいて、前記第１パック並列接続部および前記第２パック並列接続部のそれぞれについて電圧出力可能であるか否かを判定し、
前記判定の結果に基づいて、前記出力部に接続された電動機器に対する放電許可信号の出力状態を制御する、
請求項１から請求項８のうちいずれか一項に記載の電力供給装置。
【請求項１０】
前記制御部は、
前記識別子情報として、１個の前記電池パックの定格出力電圧を出力する電圧出力状態を示す識別子情報を取得した場合において、前記状態通知信号に基づいて、前記第１パック並列接続部および前記第２パック並列接続部のうち少なくとも１つが電圧出力可能と判定された場合には、前記出力部に接続された電動機器に対して前記放電許可信号を出力する、
請求項５に直接的あるいは間接的に従属する請求項９に記載の電力供給装置。
【請求項１１】
前記制御部は、
前記識別子情報として、１個の前記電池パックの定格出力電圧の２倍の電圧を出力する電圧出力状態を示す識別子情報を取得した場合において、前記状態通知信号に基づいて、前記第１パック並列接続部および前記第２パック並列接続部のいずれも電圧出力可能と判定された場合には、前記出力部に接続された電動機器に対して前記放電許可信号を出力する、
請求項５に直接的あるいは間接的に従属する請求項９に記載の電力供給装置。
【請求項１２】
前記制御部は、
前記識別子情報に基づく前記電圧出力状態の判断が不可能な場合、または、前記状態通知信号に基づいて、前記第１パック並列接続部および前記第２パック並列接続部のいずれも電圧出力が不可能と判定された場合には、前記出力部に接続された電動機器に対する前記放電許可信号の出力を停止する、
請求項５に直接的あるいは間接的に従属する請求項９に記載の電力供給装置。
【請求項１３】
電力供給装置と、外部機器側コネクタと、機器接続ケーブルと、を備える電力供給システムであって、
前記電力供給装置は、請求項１から請求項１２のうちいずれか一項に記載の電力供給装置であり、
前記外部機器側コネクタは、前記電力供給装置の前記出力部に着脱可能に構成されており、
前記機器接続ケーブルは、前記外部機器側コネクタに電気的に接続されるとともに、電動機器に直接または他部材を介して間接的に接続される構成であり、
前記電力供給装置は、前記第１パック並列接続部および前記第２パック並列接続部を収容する電池収容本体部と、前記出力部と前記電池収容本体部とを接続する出力延長ケーブルと、を備えており、
前記外部機器側コネクタは、前記出力部からの電圧出力状態に応じてそれぞれ構成が異なる複数種類のコネクタを備えており、
前記複数種類のコネクタは、第１電圧用コネクタと、複数出力用コネクタと、第２電圧用コネクタと、のうち少なくとも２つを備えており、
前記第１電圧用コネクタは、前記グランド出力端子に接続されるグランド外部端子と、前記第１正極出力端子に接続される第１外部端子と、を備え、
前記複数出力用コネクタは、前記グランド出力端子に接続されるグランド外部端子と、前記第１正極出力端子に接続される第１外部端子と、前記第２正極出力端子に接続される第２外部端子と、を備え、
前記第２電圧用コネクタは、前記グランド出力端子に接続されるグランド外部端子と、前記第１正極出力端子または前記第２正極出力端子に接続される第２外部端子と、を備える、
電力供給システム。
【請求項１４】
前記電力供給装置は、請求項５、または請求項５に直接的あるいは間接的に従属する請求項６〜１２のうちいずれか１項に記載の電力供給装置であり、
前記電力供給装置の前記出力部は、
前記識別子情報を取得するための識別子取得端子と、
前記放電許可信号を出力するための許可信号出力端子と、を備え、
前記外部機器側コネクタは、
前記識別子情報を出力する識別子出力端子であって、前記出力部との接続時には前記識別子取得端子と接続されるように構成された識別子出力端子と、
前記放電許可信号を取得するための許可信号取得端子であって、前記出力部との接続時には前記許可信号出力端子と接続されるように構成された許可信号取得端子と、を備える、
請求項１３に記載の電力供給システム。
【請求項１５】
前記外部機器側コネクタは、前記識別子情報を記憶する情報記憶部を備える、
請求項１４に記載の電力供給システム。
【請求項１６】
前記第１電圧用コネクタに接続される前記機器接続ケーブルは、前記グランド外部端子に接続されるグランド芯線と、前記第１外部端子に接続される第１電圧芯線と、を備えており、
前記複数出力用コネクタに接続される前記機器接続ケーブルは、前記グランド外部端子に接続されるグランド芯線と、前記第１外部端子に接続される第１外部芯線と、前記第２外部端子に接続される第２外部芯線と、を備えており、
前記第２電圧用コネクタに接続される前記機器接続ケーブルは、前記グランド外部端子に接続されるグランド芯線と、前記第２外部端子に接続される第２電圧芯線と、を備えており、
前記複数出力用コネクタの前記第１外部芯線は、前記複数出力用コネクタの前記グランド芯線および前記第２外部芯線よりも細い芯線で構成されている、
請求項１３から請求項１５のうちいずれか一項に記載の電力供給システム。
【発明の詳細な説明】
【技術分野】
【０００１】
本開示は、電力供給装置および電力供給システムに関する。
【背景技術】
【０００２】
複数の電池（バッテリ）を用いて、電動機器に電力供給する電力供給装置（バッテリユニット）がある（特許文献１）。
電力供給装置は、外部機器側コネクタとともに電力供給システムを構成できる。外部機器側コネクタは、電力供給装置の出力部に着脱可能に構成されるとともに、電動機器に接続されている。
【０００３】
電力供給装置は、電動機器に対する出力電圧を切り替えるために、複数のスイッチを用いて構成された切替部を備えている（特許文献１の図４、図１１など）。この切替部は、複数のスイッチの接続状態を切り替えて、複数のバッテリの接続状態を並列接続や直列接続などに切り替えることで、電力供給装置の出力電圧を切り替えることができる。これにより、様々な種類の電力供給装置に対して適切な電圧で電力供給することができる。
【０００４】
また、切替部は、複数のバッテリを同時に放電させるように、あるいは、複数のバッテリのうち一部のみを放電させるように、複数のスイッチの接続状態を切り替えることができる。
【先行技術文献】
【特許文献】
【０００５】
【特許文献１】特開２０１１−２１８５１０号公報
【発明の概要】
【発明が解決しようとする課題】
【０００６】
しかし、上記の電力供給装置は、切替部に備えられるスイッチの数が多いため、回路構成が複雑となるとともに、部品コストが大きくなる。
そこで、本開示の一局面においては、複数の電池を用いて電動機器に電力供給するにあたり、回路構成の複雑化を低減しつつ、部品コストを低減できる電力供給装置および電力供給システムを提供することが望ましい。
【課題を解決するための手段】
【０００７】
本開示の一態様は  第１パック並列接続部と、第２パック並列接続部と、出力部と、出力電圧スイッチ部と、制御部と、を備える電力供給装置である。
第１パック並列接続部は、正極端子および負極端子を有する電池パックが接続されるパック接続部を複数備える。第１パック並列接続部は、複数のパック接続部に接続された複数の電池パックを並列接続可能に構成されている。第２パック並列接続部は、正極端子および負極端子を有する電池パックが接続されるパック接続部を複数備える。第２パック並列接続部は、複数のパック接続部に接続された複数の電池パックを並列接続可能に構成されている。
【０００８】
出力部は、グランド出力端子、第１正極出力端子、第２正極出力端子の３つの出力端子を少なくとも備える。出力電圧スイッチ部は、第２パック並列接続部と出力部との電気的接続状態を切り替えるように構成されている。制御部は、出力電圧スイッチ部を制御するように構成されている。
【０００９】
第１パック並列接続部は、電池パックの正極端子を第１正極出力端子に接続するとともに、電池パックの負極端子をグランド出力端子に接続するように構成されている。
出力電圧スイッチ部は、第２パック並列接続部に接続された電池パックの正極端子の接続状態を、第２正極出力端子のみに接続される状態、および、少なくとも第１正極出力端子に接続される状態のうち、いずれかに切り替えるように構成されている。出力電圧スイッチ部は、第２パック並列接続部に接続された電池パックの負極端子の接続状態を、第１正極出力端子に接続される状態、および、グランド出力端子に接続される状態のうち、いずれかに切り替えるように構成されている。
【００１０】
制御部は、出力部から出力すべき電圧出力状態を判定して、判定結果に基づき出力電圧スイッチ部を制御するように構成されている。
この電力供給装置は、複数（４個以上）のパック接続部に接続された複数の電池パックを用いて出力部から電圧出力するにあたり、複数の電池パックを、第１パック並列接続部および第２パック並列接続部のうちいずれかに分類した上で、第１パック並列接続部と出力部（グランド出力端子、第１正極出力端子）との接続状態を固定状態としつつ、第２パック並列接続部と出力部（グランド出力端子、第１正極出力端子、第２正極出力端子）との接続状態を切り替えるように構成されている。
【００１１】
このような構成は、複数（４個以上）の電池パックと出力部との接続状態を様々なパターンに切り替える構成に比べて、接続状態のパターンを減らすことができるため、出力電圧スイッチ部の構成を簡略化できる。これにより、出力電圧スイッチ部のコスト増加を抑制できる。
【００１２】
そして、制御部が、出力部から出力すべき電圧出力状態を判定して、判定結果に基づき出力電圧スイッチ部を制御することで、複数の電圧出力状態を切り替えることができ、用途に応じた適切な電圧出力状態を実現できる。
【００１３】
よって、この電力供給装置によれば、複数の電圧出力状態を切り替えるにあたり、装置の構成を簡略化することができ、コスト増加を抑制できる。つまり、この電力供給装置は、複数の電池を用いて電動機器に電力供給するにあたり、回路構成の複雑化を低減しつつ、部品コストを低減できる。
【００１４】
次に、上記の電力供給装置においては、第１パック並列接続部は、複数のパック接続部のそれぞれに直列接続された複数の個別スイッチ部を備えてもよい。第２パック並列接続部は、複数のパック接続部のそれぞれに直列接続された複数の個別スイッチ部を備えてもよい。制御部は、グランド出力端子と第１正極出力端子との間に、複数の電池パックのうち１個の電池パックが接続されるように、複数の個別スイッチ部および出力電圧スイッチ部を制御するように構成してもよい。
【００１５】
これにより、電力供給装置は、１個の電池パックの定格出力電圧を、第１正極出力端子およびグランド出力端子から外部に出力できるとともに、２個以上の電池パックが直接並列接続されることによる電池パック間での充電（または放電）を抑制できる。
【００１６】
なお、ここでいう電池パックの定格出力電圧に関して、例えば、リチウムイオン電池１本の定格出力電圧は３．６Ｖである。定格出力電圧が１８Ｖの電池パックとは、リチウムイオン電池が５本直列の接続された電池パックを意味している。なお、実際の電池パックの出力電圧は、電力残容量の変化に伴って変動することがある。例えば、定格出力電圧が１８Ｖの場合、定格出力電圧を含む一定範囲内（例えば、上限値が約２０Ｖ、下限値が約１２Ｖの電圧範囲内など）で出力電圧が変動することがある。
【００１７】
次に、上記の電力供給装置においては、第１パック並列接続部は、複数のパック接続部のそれぞれに直列接続された複数の個別スイッチ部を備えてもよい。第２パック並列接続部は、複数のパック接続部のそれぞれに直列接続された複数の個別スイッチ部を備えてもよい。制御部は、グランド出力端子と第２正極出力端子との間に、複数の電池パックのうち２個の電池パックが直列接続されるように、複数の個別スイッチ部および出力電圧スイッチ部を制御してもよい。
【００１８】
これにより、電力供給装置は、直列接続された２個の電池パックの定格出力電圧を、第２正極出力端子およびグランド出力端子から外部に出力できるとともに、２個以上の電池パックが直接並列接続されることによる電池パック間での充電（または放電）を抑制できる。
【００１９】
次に、第１パック並列接続部および第２パック並列接続部が複数の個別スイッチ部を備えるように構成された電力供給装置においては、制御部は、第１パック並列接続部から電圧出力する場合には、第１パック並列接続部に接続された複数の電池パックのうち現在電圧が最も高い電池パックを用いて電圧出力するように、第１パック並列接続部に備えられる複数の個別スイッチ部を制御するように構成してもよい。制御部は、第２パック並列接続部から電圧出力する場合には、第２パック並列接続部に接続された複数の電池パックのうち現在電圧が最も高い電池パックを用いて電圧出力するように、第２パック並列接続部に備えられる複数の個別スイッチ部を制御するように構成してもよい。
【００２０】
この電力供給装置は、第１パック並列接続部および第２パック並列接続部のそれぞれについて、電圧出力する毎に、複数の電池パックのうち現在電圧が最も高い電池パックを用いて電圧出力するため、電圧出力する毎に、使用する電池パックを切り替えることができる。これにより、この電力供給装置は、第１パック並列接続部および第２パック並列接続部のそれぞれから電圧出力するにあたり、複数の電池パックを順番に使用することができ、１個の電池パックだけが継続使用されるのを抑制できるため、電池パックの寿命が短くなるのを抑制できる。
【００２１】
次に、上記の電力供給装置においては、制御部は、外部から取得した識別子情報に基づいて、出力部から出力すべき電圧出力状態を判定してもよい。
この電力供給装置は、外部からの要求に応じて電力出力状態を切り替えることができる。なお、識別子情報の取得方法としては、例えば、電気的信号として識別子情報を受信する取得方法や、電力供給装置に設けられたユーザ操作部を用いた操作入力により識別子情報を取得する方法など、を採用してもよい。
【００２２】
次に、制御部が外部から識別子情報を取得するように構成された上記の電力供給装置においては、制御部は、識別子情報として、１個の電池パックの定格出力電圧を出力する電圧出力状態を示す識別子情報を取得した場合には、複数の電池パックのうち１個の電池パックをグランド出力端子と第１正極出力端子との間に接続するように出力電圧スイッチ部を制御してもよい。また、制御部は、識別子情報として、１個の電池パックの定格出力電圧の２倍の電圧を出力する電圧出力状態を示す識別子情報を取得した場合には、複数の電池パックのうち直列接続した２個の電池パックをグランド出力端子と第２正極出力端子との間に接続するように出力電圧スイッチ部を制御してもよい。
【００２３】
この電力供給装置は、取得した識別子情報の内容に応じて、出力電圧スイッチ部を制御することで、外部からの指令に基づいて、出力部から出力すべき電圧出力状態を少なくとも２つの出力状態（１個の電池パックの定格出力電圧を出力する電圧出力状態、１個の電池パックの出力電圧の２倍の電圧を出力する電圧出力状態）のいずれかに変更することができる。
【００２４】
次に、制御部が外部から識別子情報を取得するように構成された上記の電力供給装置においては、制御部は、識別子情報を取得できない場合には、出力部からの電圧出力を停止するように、出力電圧スイッチ部を制御してもよい。この電力供給装置は、外部からの指令に反した不適切な電圧出力状態となることを抑制でき、出力部に接続された電動機器の破損を抑制できる。
【００２５】
次に、上記の電力供給装置においては、第１パック並列接続部は、複数のパック接続部として、３個以上のパック接続部を備え、第２パック並列接続部は、複数のパック接続部として、３個以上のパック接続部を備えてもよい。
【００２６】
このように、第１パック並列接続部および第２パック並列接続部がそれぞれ３個以上のパック接続部を備えることで、２個のパック接続部を備える場合に比べて、電力供給装置の全体として接続可能な電池パックの個数を増加でき、より長期にわたる電圧出力が可能となる。
【００２７】
次に、上記の電力供給装置においては、電池パックは、電池パックの状態を表す状態通知信号を出力するように構成されてもよい。そして、制御部は、第１パック並列接続部および第２パック並列接続部に接続された複数の電池パックの状態通知信号に基づいて、第１パック並列接続部および第２パック並列接続部のそれぞれについて電圧出力可能であるか否かを判定し、その判定の結果に基づいて、出力部に接続された電動機器に対する放電許可信号の出力状態を制御するように構成されてもよい。
【００２８】
電力供給装置は、このように放電許可信号の出力状態（出力・停止）の制御を行うことで、出力部に接続された電動機器に対して、電力供給装置からの電力供給が可能か否かを通知することができる。これにより、電動機器が、電力供給装置の個々の電池パックが高温状態や過放電状態により電力供給が可能であるか否かを個別に判定することなく、放電許可信号に基づいて電力供給装置から電力供給を受けられるか否かを判定できる。なお、放電許可信号は、電力供給装置が電力供給可能か否かを表す信号である。
【００２９】
次に、制御部が外部から識別子情報を取得するように構成され、電池パックが状態通知信号を出力するように構成された上記の電力供給装置においては、制御部は、識別子情報として、１個の電池パックの定格出力電圧を出力する電圧出力状態を示す識別子情報を取得した場合において、状態通知信号に基づいて、第１パック並列接続部および第２パック並列接続部のうち少なくとも１つが電圧出力可能と判定された場合には、出力部に接続された電動機器に対して放電許可信号を出力するように構成されてもよい。
【００３０】
この電力供給装置は、取得した識別子情報に応じた電圧出力状態を実現可能か否かについて状態通知信号に基づいて判定し、判定結果に応じて放電許可信号を出力することで、識別子情報に応じた電圧出力状態が実現可能であることを電動機器に対して通知できる。
【００３１】
次に、制御部が外部から識別子情報を取得するように構成され、電池パックが状態通知信号を出力するように構成された上記の電力供給装置においては、制御部は、識別子情報として、１個の電池パックの定格出力電圧の２倍の電圧を出力する電圧出力状態を示す識別子情報を取得した場合において、状態通知信号に基づいて、第１パック並列接続部および第２パック並列接続部のいずれも電圧出力可能と判定された場合には、出力部に接続された電動機器に対して前記放電許可信号を出力するように構成されてもよい。
【００３２】
この電力供給装置は、取得した識別子情報に応じた電圧出力状態を実現可能か否かについて状態通知信号に基づいて判定し、判定結果に応じて放電許可信号を出力することで、識別子情報に応じた電圧出力状態が実現可能であることを電動機器に対して通知できる。
【００３３】
次に、制御部が外部から識別子情報を取得するように構成され、電池パックが状態通知信号を出力するように構成された上記の電力供給装置においては、制御部は、識別子情報に基づく電圧出力状態の判断が不可能な場合、または、状態通知信号に基づいて第１パック並列接続部および第２パック並列接続部のいずれも電圧出力が不可能と判定された場合には、出力部に接続された電動機器に対する放電許可信号の出力を停止するように構成されてもよい。
【００３４】
この電力供給装置は、外部からの指令に反した不適切な電圧出力状態となることを抑制でき、また、識別子情報に応じた電圧出力状態が実現不可能であることを電動機器に対して通知できる。
【００３５】
本開示の他の一態様は  電力供給装置と、外部機器側コネクタと、機器接続ケーブルと、を備える電力供給システムであって、電力供給装置は上記のうちいずれかの電力供給装置である。
【００３６】
外部機器側コネクタは、電力供給装置の出力部に着脱可能に構成されている。機器接続ケーブルは、外部機器側コネクタに電気的に接続されるとともに、電動機器に直接または他部材を介して間接的に接続される構成である。電力供給装置は、第１パック並列接続部および第２パック並列接続部を収容する電池収容本体部と、出力部と電池収容本体部とを接続する出力延長ケーブルと、を備える。
【００３７】
外部機器側コネクタは、出力部からの電圧出力状態に応じてそれぞれ構成が異なる複数種類のコネクタを備えている。複数種類のコネクタは、第１電圧用コネクタと、複数出力用コネクタと、第２電圧用コネクタと、のうち少なくとも２つを備えている。
【００３８】
第１電圧用コネクタは、グランド出力端子に接続されるグランド外部端子と、第１正極出力端子に接続される第１外部端子と、を備える。複数出力用コネクタは、グランド出力端子に接続されるグランド外部端子と、第１正極出力端子に接続される第１外部端子と、第２正極出力端子に接続される第２外部端子と、を備える。第２電圧用コネクタは、グランド出力端子に接続されるグランド外部端子と、第１正極出力端子または第２正極出力端子に接続される第２外部端子と、を備える。
【００３９】
この電力供給システムは、上記の電力供給装置を備えるため、上記の電力供給装置と同様の効果を奏することができる。
また、この電力供給システムに備えられる電力供給装置は、出力延長ケーブルを介して出力部と電池収容本体部とが接続される構成のため、出力部が電池収容本体部に埋設される構成（出力延長ケーブルを備えていない構成）に比べて、出力部または外部機器側コネクタに外力が加えられた際に、出力延長ケーブルが外力に応じて変形することで、出力部と外部機器側コネクタとの接続が外れる方向に外力が加わりやすくなる。このため、外力が加えられた場合には、出力部と外部機器側コネクタとが外れることで、電池収容本体部に外力が及ぶのを抑制できるとともに、電力供給システムの使用者の安全性が高まる。
【００４０】
次に、上記の電力供給システムにおいては、電力供給装置の制御部は外部から取得した識別子情報に基づいて出力部から出力すべき電圧出力状態を判定してもよい。電力供給装置の出力部は、識別子情報を取得するための識別子取得端子と、放電許可信号を出力するための許可信号出力端子と、を備えてもよい。外部機器側コネクタは、識別子情報を出力する識別子出力端子と、放電許可信号を取得するための許可信号取得端子と、を備えてもよい。識別子出力端子は、出力部との接続時には識別子取得端子と接続されるように構成されている。許可信号取得端子は、出力部との接続時には許可信号出力端子と接続されるように構成されている。
【００４１】
このような電力供給システムは、電力供給装置と外部機器側コネクタ（詳細には、外部機器）との間で、識別子情報および放電許可信号のやりとりが可能になる。
次に、出力部が識別子取得端子と許可信号出力端子とを備え、外部機器側コネクタが識別子出力端子と許可信号取得端子とを備えるように構成された上記の電力供給システムにおいては、外部機器側コネクタは、識別子情報を記憶する情報記憶部を備えてもよい。
【００４２】
このように、外部機器側コネクタが情報記憶部を備えることで、外部機器側コネクタから電力供給装置に対して、コネクタの種類に応じた識別子情報を出力することができ、電力供給装置から外部機器側コネクタに対する電圧出力状態を、コネクタの種類に適した電圧出力状態に設定できる。
【００４３】
次に、上記の電力供給システムにおいては、第１電圧用コネクタに接続される機器接続ケーブルは、グランド外部端子に接続されるグランド芯線と、第１外部端子に接続される第１電圧芯線と、を備えてもよい。複数出力用コネクタに接続される機器接続ケーブルは、グランド外部端子に接続されるグランド芯線と、第１外部端子に接続される第１外部芯線と、第２外部端子に接続される第２外部芯線と、を備えてもよい。第２電圧用コネクタに接続される機器接続ケーブルは、グランド外部端子に接続されるグランド芯線と、第２外部端子に接続される第２電圧芯線と、を備えてもよい。複数出力用コネクタの第１外部芯線は、複数出力用コネクタのグランド芯線および第２外部芯線よりも細い芯線で構成されてもよい。
【００４４】
このように、複数出力用コネクタは、第１電圧用コネクタ、第２電圧用コネクタと比べて、端子および芯線の数が多いが、第１外部芯線がグランド芯線および第２外部芯線よりも細い芯線で構成されている。このため、複数出力用コネクタは、第１外部芯線がグランド芯線および第２外部芯線と同等の太さの芯線で構成された場合に比べて、複数の芯線の合計断面積を縮小できるため、複数の芯線全体としての柔軟性を向上できる。これにより、複数出力用コネクタは、第１電圧用コネクタおよび第２電圧用コネクタと比べて、複数の芯線全体の柔軟性が大幅に低下するのを抑制でき、複数の芯線のとりまわし作業の負担増加を抑制できる。
【００４５】
また、このような構成を採ることで、出力部と電池収容本体部との間の出力延長ケーブル（複数の芯線）の断面積（換言すれば、太さ）に比べて、外部機器側コネクタと外部機器との間の機器接続ケーブルの断面積を、小さく設定できる。これにより、機器接続ケーブルの柔軟性が高くなり、外部機器の取り回し作業時の負担を軽減できる。
【００４６】
なお、複数の芯線は、単一の被覆部材により束ねられた状態で機器接続ケーブルとして備えられても良い。
【図面の簡単な説明】
【００４７】
【図１】第１実施形態の電力供給システムの全体構成を表した説明図である。
【図２】電力供給装置の電気的構成を表した説明図である。
【図３】個別スイッチ部の一例を表した回路図である。
【図４】電圧供給装置、第１電圧用アダプタ、第１電動機器の電気的構成を表した説明図である。
【図５】電圧供給装置、複数出力用アダプタ、第２電動機器の電気的構成を表した説明図である。
【図６】電圧供給装置、第２電圧用アダプタ、第３電動機器の電気的構成を表した説明図である。
【図７】出力電圧制御処理の処理内容を表したフローチャートである。
【図８】第１電圧制御処理の処理内容を表したフローチャートである。
【図９】第２電圧制御処理の処理内容を表したフローチャートである。
【図１０】待機モード処理の処理内容を表したフローチャートである。
【図１１】第２電力供給装置の電気的構成を表した説明図である。
【図１２】第２電圧供給装置、第３電圧用アダプタ、第４電動機器の電気的構成を表した説明図である。
【図１３】第２電圧供給装置、複数出力用アダプタ、第５電動機器の電気的構成を表した説明図である。
【図１４】第２電圧供給装置、第１電圧用アダプタ、第６電動機器の電気的構成を表した説明図である。
【発明を実施するための形態】
【００４８】
以下、本開示が適用された実施形態について、図面を用いて説明する。
尚、本開示は、以下の実施形態に何ら限定されるものではなく、本開示の技術的範囲に属する限り種々の形態を採り得ることはいうまでもない。
【００４９】
［１．第１実施形態］
［１−１．全体構成］
図１に示すように、第１実施形態の電力供給システム１は、電力供給装置１０と、放電アダプタ２０と、を備える。電力供給システム１は、電力供給装置１０に蓄積された電力を、放電アダプタ２０に接続された電動機器に供給するように構成されている。
【００５０】
電動機器としては、例えば、電動工具、電動作業機、電動園芸機器などが挙げられる。これらの電動機器には、例えば、１８Ｖの電池パックを１個接続して駆動する機器や、１８Ｖの電池パックを２個接続して駆動する機器や、３６Ｖの電池パックを１個接続して駆動する機器がある。
【００５１】
電力供給装置１０は、電池収容本体部１０ａと、背負いベルト１０ｂと、出力コネクタ１３と、出力延長ケーブル１５と、を備える。
電池収容本体部１０ａは、内部に複数の電池パックを収容可能に構成されている。電池パックは、電池収容本体部１０ａの内部に備えられるため図１では図示を省略する。本実施形態では、後述するように、電池収容本体部１０ａは、８個の電池パック３３ｃ１〜３３ｃ４、３５ｃ１〜３５ｃ４（図２参照）を備えている。本実施形態の電池パックは、定格出力電圧が１８Ｖである。
【００５２】
背負いベルト１０ｂは、使用者が電池収容本体部１０ａを背負うことが可能となるように電池収容本体部１０ａに固定されている。出力コネクタ１３は、出力延長ケーブル１５を介して電池収容本体部１０ａに接続されている。出力コネクタ１３は、放電アダプタ２０のコネクタ（詳細には、後述の第１電圧用コネクタ２１ａ，複数出力用コネクタ２１ｂ，第２電圧用コネクタ２１ｃのいずれか）に接続可能に構成されている。
【００５３】
放電アダプタ２０は、第１電圧用アダプタ２０ａと、複数出力用アダプタ２０ｂと、第２電圧用アダプタ２０ｃと、を備える。電力供給システム１は、放電アダプタ２０を電池パックの代わりに電動機器に接続することで、電力供給装置１０による電動機器への電力供給が可能となるように構成されている。
【００５４】
第１電圧用アダプタ２０ａは、電圧１８Ｖの出力系統を１個備えており、１系統の電圧１８Ｖを電動機器に出力するためのアダプタである。第１電圧用アダプタ２０ａは、第１電圧用コネクタ２１ａと、機器接続ケーブル２３ａと、機器側ユニット２５ａと、を備える。
【００５５】
複数出力用アダプタ２０ｂは、電圧１８Ｖの出力系統を２個備えており、２系統の電圧１８Ｖを電動機器に出力するためのアダプタである。複数出力用アダプタ２０ｂは、複数出力用コネクタ２１ｂと、機器接続ケーブル２３ｂと、機器側ユニット２５ｂと、を備える。機器側ユニット２５ｂは、第１機器側ユニット２５ｂ１と、第２機器側ユニット２５ｂ２と、を備える。
【００５６】
第２電圧用アダプタ２０ｃは、電圧３６Ｖの出力系統を１個備えており、１系統の電圧３６Ｖを電動機器に出力するためのアダプタである。第２電圧用アダプタ２０ｃは、第２電圧用コネクタ２１ｃと、機器接続ケーブル２３ｃと、機器側ユニット２５ｃと、を備える。
【００５７】
機器側ユニット２５ａ，２５ｂ，２５ｃは、それぞれ電動機器に着脱可能に構成されている。
［１−２．電力供給装置］
上記のように、電力供給装置１０は、電池収容本体部１０ａと、出力コネクタ１３と、出力延長ケーブル１５と、を備える。
【００５８】
図２に示すように、出力コネクタ１３は、グランド出力端子１３ａ、第１正極出力端子１３ｂ、第２正極出力端子１３ｃ、識別子取得端子１３ｄ、許可信号出力端子１３ｅを備えて構成されている。
【００５９】
グランド出力端子１３ａは、出力電圧の基準電位（＝０Ｖ）となる端子である。第１正極出力端子１３ｂは、出力電圧として１８Ｖを出力する際、または、複数の１８Ｖを出力する際に用いられる端子である。第２正極出力端子１３ｃは、出力電圧として３６Ｖを出力する際、または、複数の１８Ｖを出力する際に用いられる端子である。識別子取得端子１３ｄは、外部から識別子情報ＩＤを取得するための端子である。許可信号出力端子１３ｅは、外部に対して放電許可信号ＤＳを出力するための端子である。
【００６０】
出力延長ケーブル１５は、出力コネクタ１３と電池収容本体部１０ａとを電気的に接続するケーブルである。出力延長ケーブル１５は、複数の芯線を備えている。出力延長ケーブル１５は、複数の電圧出力用芯線１５ａ，１５ｂ，１５ｃと、複数の信号用芯線１５ｄ，１５ｅと、を備える。複数の電圧出力用芯線１５ａ，１５ｂ，１５ｃは、それぞれ、グランド出力端子１３ａ、第１正極出力端子１３ｂ、第２正極出力端子１３ｃに接続される。複数の信号用芯線１５ｄ，１５ｅは、それぞれ、識別子取得端子１３ｄ、許可信号出力端子１３ｅに接続される。
【００６１】
電池収容本体部１０ａは、図２に示すように、制御部３１と、第１パック並列接続部３３と、第２パック並列接続部３５と、出力電圧スイッチ部３７と、を備えて構成されている。
【００６２】
制御部３１は、電池収容本体部１０ａにおける各種制御処理を実行する。制御部３１は、例えば、出力コネクタ１３から出力する電圧を制御する出力電圧制御処理や、電池収容本体部１０ａの各部の異常を検出する異常検出処理などを行う。制御部３１は、ＣＰＵ３１ａ（演算部３１ａ）、メモリ３１ｂ（記憶部３１ｂ）などを有する。制御部３１が有する機能は、主に、ＣＰＵ３１ａがメモリ３１ｂに記憶されている各種プログラムを実行することにより実現される。
【００６３】
第１パック並列接続部３３は、複数のパック接続部３３ａ１〜３３ａ４と、複数の個別スイッチ部３３ｂ１〜３３ｂ４と、を備える。本実施形態では、第１パック並列接続部３３は、４個のパック接続部３３ａ１〜３３ａ４と、４個の個別スイッチ部３３ｂ１〜３３ｂ４と、を備える。
【００６４】
複数のパック接続部３３ａ１〜３３ａ４は、それぞれ、電池パック３３ｃ１〜３３ｃ４が着脱可能に接続されるように構成されている。このため、電池収容本体部１０ａは、電池パック３３ｃ１〜３３ｃ４のうちいずれかの出力電圧が低下した場合（換言すれば、電力残容量が少なくなった場合）には、その電池パックを交換することが可能である。電池パック３３ｃ１〜３３ｃ４は、それぞれ、正極端子＋および負極端子−を有する。
【００６５】
複数の個別スイッチ部３３ｂ１〜３３ｂ４は、それぞれ、複数のパック接続部３３ａ１〜３３ａ４に直列接続されている。複数の個別スイッチ部３３ｂ１〜３３ｂ４は、それぞれ、制御部３１からの制御信号に基づいて、通電状態（ＯＮ状態）または遮断状態（ＯＦＦ状態）に切り替え可能に構成されている。
【００６６】
第１パック並列接続部３３は、複数のパック接続部３３ａ１〜３３ａ４を並列接続可能に構成されており、これにより、複数のパック接続部３３ａ１〜３３ａ４に接続された複数の電池パック３３ｃ１〜３３ｃ４を並列接続可能に構成されている。
【００６７】
このように構成された第１パック並列接続部３３は、制御部３１からの制御信号に基づいて複数の個別スイッチ部３３ｂ１〜３３ｂ４のうち少なくとも１個が通電状態に制御されると、通電状態の個別スイッチ部３３ｂ１〜３３ｂ４に対応するパック接続部３３ａ１〜３３ａ４に接続された電池パック３３ｃ１〜３３ｃ４を用いて電圧出力するように構成されている。
【００６８】
なお、複数の個別スイッチ部３３ｂ１〜３３ｂ４は、それぞれ、電流を通電状態（ＯＮ状態）または遮断状態（ＯＦＦ状態）に切り替え可能に構成されたスイッチ（機械式スイッチ、半導体素子スイッチなど）を用いて構成することができる。例えば、複数の個別スイッチ部３３ｂ１〜３３ｂ４は、図３に示すように接続された２個のＦＥＴ（電界効果トランジスタ）を用いて構成してもよい。この２個のＦＥＴは、ゲートへの電圧印加時におけるドレイン−ソース間の通電方向が互いに逆方向となるように、直列に接続されている。なお、ＦＥＴは、その特性上、ドレイン−ソース間に並列に接続される寄生ダイオードを備えており、ゲートへ電圧印加されていない場合には、この寄生ダイオードによる逆方向の通電が可能に構成されている。これに対して、図３に示すように接続した２個のＦＥＴを備えて、２個のＦＥＴをいずれも遮断状態に制御することで、電池パックにおける両方向の電流（放電電流および充電電流）を停止することができる。図３に示す個別スイッチ部３３ｂ１は、２個のＦＥＴをいずれも通電状態にすることでスイッチ部３３ｂ１を通電状態とすることができる。
【００６９】
また、個別スイッチ部は、１個のＦＥＴと１個のダイオードを直列接続して構成してもよい。この場合、ＦＥＴは、ＯＮ状態で電池パックの放電方向の電流通電を許容し、ＯＦＦ状態で電池パックの放電方向の電流通電を禁止するように配置されるとともに、ダイオードは、電池パックの放電方向の電流通電を許容し、電池パックの充電方向の電流通電を禁止するように配置されると良い。このような個別スイッチは、制御部３１からの制御信号に基づいて、ＦＥＴがＯＮ状態またはＯＦＦ状態に制御されることで、電池パックの放電・停止を制御することができる。
【００７０】
次に、第２パック並列接続部３５は、複数のパック接続部３５ａ１〜３５ａ４と、複数の個別スイッチ部３５ｂ１〜３５ｂ４と、を備える。本実施形態では、第２パック並列接続部３５は、４個のパック接続部３５ａ１〜３５ａ４と、４個の個別スイッチ部３５ｂ１〜３５ｂ４と、を備える。複数のパック接続部３５ａ１〜３５ａ４は、それぞれ、電池パック３５ｃ１〜３５ｃ４が着脱可能に接続されるように構成されている。
【００７１】
なお、図２に示すように、第２パック並列接続部３５は、第１パック並列接続部３３と同様の構成であるため、詳細説明は省略する。複数のパック接続部３５ａ１〜３５ａ４が、複数のパック接続部３３ａ１〜３３ａ４に対応し、複数の個別スイッチ部３５ｂ１〜３５ｂ４が、複数の個別スイッチ部３３ｂ１〜３３ｂ４に対応し、電池パック３５ｃ１〜３５ｃ４が、電池パック３３ｃ１〜３３ｃ４に対応する。
【００７２】
次に、出力電圧スイッチ部３７は、第１スイッチ部ＳＷ１、第２スイッチ部ＳＷ２、第３スイッチ部ＳＷ３を備えている。出力電圧スイッチ部３７は、第２パック並列接続部３５と出力コネクタ１３（詳細には、グランド出力端子１３ａ、第１正極出力端子１３ｂ、第２正極出力端子１３ｃ）との電気的接続状態を切り替えるように構成されている。
【００７３】
出力コネクタ１３において、グランド出力端子１３ａは、第１パック並列接続部３３に直接接続されるとともに、出力電圧スイッチ部３７（詳細には、第１スイッチ部ＳＷ１）を介して第２パック並列接続部３５に接続されている。第１正極出力端子１３ｂは、第１パック並列接続部３３に直接接続されるとともに、出力電圧スイッチ部３７（詳細には、第２スイッチ部ＳＷ２および第３スイッチ部ＳＷ３）を介して第２パック並列接続部３５に接続されている。第２正極出力端子１３ｃは、第２パック並列接続部３５に直接接続されている。
【００７４】
グランド出力端子１３ａは、第１パック並列接続部３３との接続については、複数のパック接続部３３ａ１〜３３ａ４を介して複数の電池パック３３ｃ１〜３３ｃ４の負極端子−に電気的に接続されている。グランド出力端子１３ａは、第２パック並列接続部３５との接続については、出力電圧スイッチ部３７（詳細には、第１スイッチ部ＳＷ１）を介するとともに、複数のパック接続部３５ａ１〜３５ａ４を介して複数の電池パック３５ｃ１〜３５ｃ４の負極端子−に電気的に接続されている。
【００７５】
第１正極出力端子１３ｂは、第１パック並列接続部３３との接続については、複数の個別スイッチ部３３ｂ１〜３３ｂ４および複数のパック接続部３３ａ１〜３３ａ４を介して複数の電池パック３３ｃ１〜３３ｃ４の正極端子＋に電気的に接続可能に構成されている。第１正極出力端子１３ｂは、第２パック並列接続部３５との接続については、出力電圧スイッチ部３７（詳細には、第２スイッチ部ＳＷ２）を介するとともに、複数のパック接続部３５ａ１〜３５ａ４を介して複数の電池パック３５ｃ１〜３５ｃ４の負極端子−に電気的に接続可能に構成されている。さらに、第１正極出力端子１３ｂは、第２パック並列接続部３５との接続については、出力電圧スイッチ部３７（詳細には、第３スイッチ部ＳＷ３）を介するとともに、複数の個別スイッチ部３５ｂ１〜３５ｂ４および複数のパック接続部３５ａ１〜３５ａ４を介して複数の電池パック３５ｃ１〜３５ｃ４の正極端子＋に電気的に接続可能に構成されている。
【００７６】
第２正極出力端子１３ｃは、第２パック並列接続部３５との接続については、複数の個別スイッチ部３５ｂ１〜３５ｂ４および複数のパック接続部３５ａ１〜３５ａ４を介して複数の電池パック３５ｃ１〜３５ｃ４の正極端子＋に電気的に接続可能に構成されている。
【００７７】
つまり、出力電圧スイッチ部３７は、第２パック並列接続部３５に接続された電池パック３５ｃ１〜３５ｃ４の正極端子の接続状態を、第２正極出力端子１３ｃのみに接続される状態、および少なくとも第１正極出力端子１３ｂに接続される状態のうち、いずれかに切り替えるように構成されている。なお、本実施形態の出力電圧スイッチ部３７は、「少なくとも第１正極出力端子１３ｂに接続される状態」として「第１正極出力端子１３ｂおよび第２正極出力端子１３ｃに接続される状態」を実現可能に構成されている。また、出力電圧スイッチ部３７は、第２パック並列接続部３５に接続された電池パック３５ｃ１〜３５ｃ４の負極端子の接続状態を、第１正極出力端子１３ｂに接続される状態、およびグランド出力端子１３ａに接続される状態のうち、いずれかに切り替えるように構成されている。
【００７８】
また、第１パック並列接続部３３は、複数の電池パック３３ｃ１〜３３ｃ４の正極端子を第１正極出力端子１３ｂに接続するとともに、複数の電池パック３３ｃ１〜３３ｃ４の負極端子をグランド出力端子１３ａに接続するように構成されている。
【００７９】
［１−３．放電アダプタ］
上述のように、放電アダプタ２０は、電動機器に対する電圧出力状態が異なる複数種類の放電アダプタを備えている。本実施形態の放電アダプタ２０は、第１電圧用アダプタ２０ａと、複数出力用アダプタ２０ｂと、第２電圧用アダプタ２０ｃと、を備える。
【００８０】
第１電圧用アダプタ２０ａは、電動機器に対して１８Ｖの電圧（１個の電池パックの定格電圧）を１系統出力するように構成されている。複数出力用アダプタ２０ｂは、電動機器に対して１８Ｖの電圧（１個の電池パックの定格電圧）を２系統出力するように構成されている。第２電圧用アダプタ２０ｃは、電動機器に対して３６Ｖの電圧（１個の電池パックの定格電圧を２倍した電圧）を１系統出力するように構成されている。
【００８１】
第１電圧用アダプタ２０ａ、複数出力用アダプタ２０ｂ、第２電圧用アダプタ２０ｃのそれぞれの構成について説明する。
［１−３−１．第１電圧用アダプタ］
図４に示すように、第１電圧用アダプタ２０ａは、第１電圧用コネクタ２１ａと、機器接続ケーブル２３ａと、機器側ユニット２５ａと、を備える。
【００８２】
第１電圧用コネクタ２１ａは、グランド外部端子２１ａ１と、第１外部端子２１ａ２と、識別子出力端子２１ａ３と、許可信号取得端子２１ａ４と、を備える。グランド外部端子２１ａ１は、グランド出力端子１３ａに接続可能に構成されている。第１外部端子２１ａ２は、第１正極出力端子１３ｂに接続可能に構成されている。識別子出力端子２１ａ３は、識別子取得端子１３ｄに接続可能に構成されている。許可信号取得端子２１ａ４は、許可信号出力端子１３ｅに接続可能に構成されている。
【００８３】
第１電圧用コネクタ２１ａは、情報記憶部２０ａ１を備えている。情報記憶部２０ａ１は、識別子出力端子２１ａ３を介して、識別子取得端子１３ｄに接続可能に構成されている。情報記憶部２０ａ１は、第１電圧用アダプタ２０ａに対応した識別子情報を記憶している。なお、識別子情報は、出力コネクタ１３から出力すべき電圧出力状態を表す情報である。情報記憶部２０ａ１は、第１電圧用アダプタ２０ａに対応した識別子情報として、第１識別子情報ＩＤ１を記憶している。第１識別子情報ＩＤ１は、グランド出力端子１３ａと第１正極出力端子１３ｂとを用いて１８Ｖの電圧を出力する電圧出力状態を表す識別子情報である。
【００８４】
なお、情報記憶部２０ａ１は、例えば、識別子情報に応じて予め定められた電気抵抗値の固定抵抗素子を用いて構成できる。この場合、制御部３１は、情報記憶部２０ａ１の電気抵抗値を検出することで、接続された放電アダプタ２０に適した電圧出力状態を判定することができる。
【００８５】
制御部３１は、第１電圧用コネクタ２１ａから情報記憶部２０ａ１の第１識別子情報ＩＤ１を取得すると、第１識別子情報ＩＤ１に基づいて、出力電圧スイッチ部３７の状態を制御する。制御部３１は、例えば、図４に示すように、第１スイッチ部ＳＷ１、第２スイッチ部ＳＷ２、第３スイッチ部ＳＷ３が全て遮断状態（ＯＦＦ状態）となるように、出力電圧スイッチ部３７の状態を制御する。また、このとき、制御部３１は、第１パック並列接続部３３に接続された複数の電池パック３３ｃ１〜３３ｃ４のうち、出力電圧が最も高い電池パックに対応する個別スイッチ部（複数の個別スイッチ部３３ｂ１〜３３ｂ４のうち１つ）を通電状態（ＯＮ状態）に設定するとともに、そのほかの電池パックに対応する個別スイッチを遮断状態（ＯＦＦ状態）に設定する。さらに、このとき、制御部３１は、第２パック並列接続部３５における複数の個別スイッチ部３５ｂ１〜３５ｂ４の全てを遮断状態（ＯＦＦ状態）に設定する。
【００８６】
これにより、電力供給装置１０は、第１パック並列接続部３３に接続された複数の電池パック３３ｃ１〜３３ｃ４を用いて、出力コネクタ１３から１８Ｖの電圧を出力可能な状態となる。なお、図４では、電力供給装置１０については、出力コネクタ１３の概略構成および電池収容本体部１０ａにおける各スイッチ部の状態を表しており、他の構成については図示を省略している。
【００８７】
また、制御部３１は、出力コネクタ１３から電圧出力可能な場合には、放電許可信号ＤＳを許可信号出力端子１３ｅから許可信号取得端子２１ａ４に対して出力し、出力コネクタ１３から電圧出力が不可能である場合には、許可信号出力端子１３ｅから外部への放電許可信号ＤＳの出力を停止する。放電許可信号ＤＳは、出力コネクタ１３に接続された電動機器に対して、電力供給装置１０が電圧出力可能な状態であるか否かを通知するための信号である。
【００８８】
機器接続ケーブル２３ａは、第１電圧用コネクタ２１ａに電気的に接続されるとともに、機器側ユニット２５ａを介して間接的に第１電動機器４０ａに接続される構成である。機器接続ケーブル２３ａは、グランド外部端子２１ａ１に接続されるグランド芯線２３ａ１と、第１外部端子２１ａ２に接続される第１電圧芯線２３ａ２と、許可信号取得端子２１ａ４に接続される許可信号芯線２３ａ３と、を備えている。
【００８９】
なお、機器接続ケーブル２３ａは、複数の芯線が単一の被覆部材により束ねられた状態のケーブルとして備えられている。
機器側ユニット２５ａは、第１電動機器４０ａのバッテリ装着部４３に着脱可能に構成されている。機器側ユニット２５ａは、グランド機器端子２５ａ１と、第１機器端子２５ａ２と、許可信号機器端子２５ａ３と、を備える。
【００９０】
グランド芯線２３ａ１は、第１電圧用コネクタ２１ａのグランド外部端子２１ａ１と機器側ユニット２５ａのグランド機器端子２５ａ１とを電気的に接続する。第１電圧芯線２３ａ２は、第１電圧用コネクタ２１ａの第１外部端子２１ａ２と機器側ユニット２５ａの第１機器端子２５ａ２とを電気的に接続する。許可信号芯線２３ａ３は、第１電圧用コネクタ２１ａの許可信号取得端子２１ａ４と機器側ユニット２５ａの許可信号機器端子２５ａ３とを電気的に接続する。
【００９１】
第１電動機器４０ａは、１８Ｖの電圧が供給されることで駆動可能に構成された電動機器である。第１電動機器４０ａは、バッテリ装着部４３と、モータ４５と、モータ制御部４７と、駆動用スイッチ４９と、を備える。
【００９２】
バッテリ装着部４３は、グランド端子４３ａと、第１機器電圧端子４３ｂと、許可信号受信端子４３ｃと、を備える。グランド端子４３ａは、グランド機器端子２５ａ１に接続可能に構成されている。第１機器電圧端子４３ｂは、第１機器端子２５ａ２に接続可能に構成されている。許可信号受信端子４３ｃは、許可信号機器端子２５ａ３に接続可能に構成されている。バッテリ装着部４３は、電池パック３３ｃ１を装着可能に構成されるとともに、機器側ユニット２５ａを装着可能に構成されている。
【００９３】
モータ４５は、バッテリ装着部４３（詳細には、グランド端子４３ａ、第１機器電圧端子４３ｂ）を介して電圧が印加されることで回転駆動する。モータ制御部４７は、電力供給装置１０からの放電許可信号ＤＳを受信しているときに、使用者からの駆動指令（図示省略。例えば、トリガ操作による駆動指令など。）を受信すると、駆動用スイッチ４９をＯＮ状態に制御してモータ４５への通電を行う。モータ制御部４７は、電力供給装置１０からの放電許可信号ＤＳを受信しているときであっても、使用者からの駆動指令を受信していない場合には、駆動用スイッチ４９をＯＦＦ状態に制御してモータ４５への通電を停止する。モータ制御部４７は、電力供給装置１０からの放電許可信号ＤＳを受信していないときには、使用者からの駆動指令を受信している場合であっても、駆動用スイッチ４９をＯＦＦ状態に制御してモータ４５への通電を停止する。
【００９４】
なお、電力供給装置１０は、第１電圧用アダプタ２０ａが接続された場合において、第１パック並列接続部３３に接続された全ての電池パック３３ｃ１〜３３ｃ４が電圧出力不可能な状態である場合には、第２パック並列接続部３５に接続された複数の電池パック３５ｃ１〜３５ｃ４を用いて電圧出力するように、出力電圧スイッチ部３７を制御しても良い。
【００９５】
具体的には、制御部３１は、第１電圧用コネクタ２１ａから情報記憶部２０ａ１の識別子情報を取得すると、第１スイッチ部ＳＷ１および第３スイッチ部ＳＷ３が通電状態（ＯＮ状態）、第２スイッチ部ＳＷ２が遮断状態（ＯＦＦ状態）となるように、出力電圧スイッチ部３７の状態を制御する。また、このとき、制御部３１は、第２パック並列接続部３５に接続された複数の電池パック３５ｃ１〜３５ｃ４のうち、出力電圧が最も高い電池パックに対応する個別スイッチ部（複数の個別スイッチ部３５ｂ１〜３５ｂ４のうち１つ）を通電状態（ＯＮ状態）に設定するとともに、そのほかの電池パックに対応する個別スイッチを遮断状態（ＯＦＦ状態）に設定する。さらに、このとき、制御部３１は、第１パック並列接続部３３における複数の個別スイッチ部３３ｂ１〜３３ｂ４の全てを遮断状態（ＯＦＦ状態）に設定する。
【００９６】
これにより、電力供給装置１０は、第２パック並列接続部３５に接続された複数の電池パック３５ｃ１〜３５ｃ４を用いて、出力コネクタ１３から１８Ｖの電圧を出力可能な状態となる。
【００９７】
［１−３−２．複数出力用アダプタ］
次に、図５に示すように、複数出力用アダプタ２０ｂは、複数出力用コネクタ２１ｂと、機器接続ケーブル２３ｂと、機器側ユニット２５ｂと、を備える。機器側ユニット２５ｂは、第１機器側ユニット２５ｂ１と、第２機器側ユニット２５ｂ２と、を備える。
【００９８】
複数出力用コネクタ２１ｂは、グランド外部端子２１ｂ１と、第１外部端子２１ｂ２と、第２外部端子２１ｂ３と、識別子出力端子２１ｂ４と、許可信号取得端子２１ｂ５と、を備える。グランド外部端子２１ｂ１は、グランド出力端子１３ａに接続可能に構成されている。第１外部端子２１ｂ２は、第１正極出力端子１３ｂに接続可能に構成されている。第２外部端子２１ｂ３は、第２正極出力端子１３ｃに接続可能に構成されている。識別子出力端子２１ｂ４は、識別子取得端子１３ｄに接続可能に構成されている。許可信号取得端子２１ｂ５は、許可信号出力端子１３ｅに接続可能に構成されている。
【００９９】
複数出力用コネクタ２１ｂは、情報記憶部２０ｂ１を備えている。情報記憶部２０ｂ１は、識別子出力端子２１ｂ４を介して、識別子取得端子１３ｄに接続可能に構成されている。情報記憶部２０ｂ１は、複数出力用アダプタ２０ｂに対応した識別子情報を記憶している。情報記憶部２０ｂ１は、複数出力用アダプタ２０ｂに対応した識別子情報として、第２識別子情報ＩＤ２を記憶している。第２識別子情報ＩＤ２は、電圧１８Ｖの出力系統を２個備える電圧出力状態を表す識別子情報である。この電圧出力状態は、具体的には、グランド出力端子１３ａと第１正極出力端子１３ｂとを用いて１８Ｖの出力電圧（第１系統）を出力するとともに、第１正極出力端子１３ｂと第２正極出力端子１３ｃを用いて１８Ｖの出力電圧（第２系統）を出力する電圧出力状態である。
【０１００】
制御部３１は、複数出力用コネクタ２１ｂから情報記憶部２０ｂ１の第２識別子情報ＩＤ２を取得すると、第２識別子情報ＩＤ２に基づいて、出力電圧スイッチ部３７の状態を制御する。制御部３１は、例えば、図５に示すように、第１スイッチ部ＳＷ１、第３スイッチ部ＳＷ３が遮断状態（ＯＦＦ状態）、第２スイッチ部ＳＷ２が通電状態（ＯＮ状態）となるように、出力電圧スイッチ部３７の状態を制御する。また、このとき、制御部３１は、第１パック並列接続部３３に接続された複数の電池パック３３ｃ１〜３３ｃ４のうち、出力電圧が最も高い電池パックに対応する個別スイッチ部（複数の個別スイッチ部３３ｂ１〜３３ｂ４のうち１つ）を通電状態（ＯＮ状態）に設定するとともに、そのほかの電池パックに対応する個別スイッチを遮断状態（ＯＦＦ状態）に設定する。さらに、このとき、制御部３１は、第２パック並列接続部３５においても同様に、複数の電池パックのうち、出力電圧が最も高い電池パックに対応する個別スイッチ部を通電状態（ＯＮ状態）に設定するとともに、そのほかの電池パックに対応する個別スイッチを遮断状態（ＯＦＦ状態）に設定する。
【０１０１】
これにより、電力供給装置１０は、第１パック並列接続部３３に接続された複数の電池パック３３ｃ１〜３３ｃ４のうちいずれか１つ、および第２パック並列接続部３５に接続された複数の電池パック３５ｃ１〜３５ｃ４のうちいずれか１つを用いて、出力コネクタ１３から１８Ｖの電圧を２系統出力可能な状態となる。なお、図５では、電力供給装置１０については、出力コネクタ１３の概略構成および電池収容本体部１０ａにおける各スイッチ部の状態を表しており、他の構成については図示を省略している。
【０１０２】
機器接続ケーブル２３ｂは、複数出力用コネクタ２１ｂに電気的に接続されるとともに、機器側ユニット２５ｂ（第１機器側ユニット２５ｂ１、第２機器側ユニット２５ｂ２）を介して間接的に第２電動機器４０ｂに接続される構成である。機器接続ケーブル２３ｂは、複数出力用コネクタ２１ｂと第１機器側ユニット２５ｂ１との間に設けられるとともに、第１機器側ユニット２５ｂ１と第２機器側ユニット２５ｂ２との間に設けられる。機器接続ケーブル２３ｂは、グランド外部端子２１ｂ１に接続されるグランド芯線２３ｂ１と、第１外部端子２１ｂ２に接続される第１外部芯線２３ｂ２と、第２外部端子２１ｂ３に接続される第２外部芯線２３ｂ３と、許可信号取得端子２１ｂ５に接続される許可信号芯線２３ｂ４と、を備えている。
【０１０３】
第１機器側ユニット２５ｂ１および第２機器側ユニット２５ｂ２は、それぞれ第２電動機器４０ｂの第１バッテリ装着部４３および第２バッテリ装着部４４に着脱可能に構成されている。第１機器側ユニット２５ｂ１は、グランド機器端子２５ｂ１１と、第１機器端子２５ｂ１２と、許可信号機器端子２５ｂ１３と、を備える。第２機器側ユニット２５ｂ２は、グランド機器端子２５ｂ２１と、第１機器端子２５ｂ２２と、許可信号機器端子２５ｂ２３と、を備える。
【０１０４】
グランド芯線２３ｂ１は、複数出力用コネクタ２１ｂのグランド外部端子２１ｂ１と第２機器側ユニット２５ｂ２のグランド機器端子２５ｂ２１とを電気的に接続する。第１外部芯線２３ｂ２は、複数出力用コネクタ２１ｂの第１外部端子２１ｂ２と第２機器側ユニット２５ｂ２の第１機器端子２５ｂ２２とを電気的に接続する。第２外部芯線２３ｂ３は、複数出力用コネクタ２１ｂの第２外部端子２１ｂ３と第１機器側ユニット２５ｂ１の第１機器端子２５ｂ１２とを電気的に接続する。許可信号芯線２３ｂ４は、複数出力用コネクタ２１ｂの許可信号取得端子２１ｂ５と第１機器側ユニット２５ｂ１の許可信号機器端子２５ｂ１３とを電気的に接続する。
【０１０５】
なお、複数出力用コネクタ２１ｂに接続される機器接続ケーブル２３ｂの第１外部芯線２３ｂ２は、複数出力用コネクタ２１ｂに接続される機器接続ケーブル２３ｂのグランド芯線２３ｂ１および第２外部芯線２３ｂ３よりも細い芯線（径寸法が小さい芯線）で構成されている。
【０１０６】
なお、グランド芯線２３ｂ１および第１外部芯線２３ｂ２は、それぞれ、複数出力用コネクタ２１ｂから第１機器側ユニット２５ｂ１を経由して第２機器側ユニット２５ｂ２に至るように設けられている。また、第１機器側ユニット２５ｂ１のグランド機器端子２５ｂ１１は、機器接続ケーブル２３ｂのうちいずれの芯線にも接続されていない。さらに、第２機器側ユニット２５ｂ２は、ダミー許可信号記憶部２５ｂ２４を備える。ダミー許可信号記憶部２５ｂ２４は、許可信号機器端子２５ｂ２３に接続されており、許可信号機器端子２５ｂ２３を介して、第２電動機器４０ｂに対して常に放電許可信号を出力するようにダミー許可信号ＤＳを出力する。
【０１０７】
第２電動機器４０ｂは、１８Ｖの電圧が２系統供給されることで駆動可能に構成された電動機器である。第２電動機器４０ｂは、第１バッテリ装着部４３と、第２バッテリ装着部４４と、モータ４５と、モータ制御部４７と、駆動用スイッチ４９と、を備える。
【０１０８】
第１バッテリ装着部４３は、グランド端子４３ａと、第１機器電圧端子４３ｂと、許可信号受信端子４３ｃと、を備える。グランド端子４３ａは、グランド機器端子２５ｂ１１に接続可能に構成されている。第１機器電圧端子４３ｂは、第１機器端子２５ｂ１２に接続可能に構成されている。許可信号受信端子４３ｃは、許可信号機器端子２５ｂ１３に接続可能に構成されている。
【０１０９】
第２バッテリ装着部４４は、グランド端子４４ａと、第１機器電圧端子４４ｂと、許可信号受信端子４４ｃと、を備える。グランド端子４４ａは、グランド機器端子２５ｂ２１に接続可能に構成されている。第１機器電圧端子４４ｂは、第１機器端子２５ｂ２２に接続可能に構成されている。許可信号受信端子４４ｃは、許可信号機器端子２５ｂ２３に接続可能に構成されている。
【０１１０】
モータ４５は、第１バッテリ装着部４３（詳細には、第１機器電圧端子４３ｂ）および第２バッテリ装着部４４（詳細には、グランド端子４４ａ）を介して電圧が印加されることで回転駆動する。モータ制御部４７は、電力供給装置１０からの放電許可信号ＤＳを受信しているときに、使用者からの駆動指令（図示省略）を受信すると、駆動用スイッチ４９をＯＮ状態に制御してモータ４５への通電を行う。モータ制御部４７は、電力供給装置１０からの放電許可信号ＤＳを受信しているときであっても、使用者からの駆動指令を受信していない場合には、駆動用スイッチ４９をＯＦＦ状態に制御してモータ４５への通電を停止する。モータ制御部４７は、電力供給装置１０からの放電許可信号ＤＳを受信していないときには、使用者からの駆動指令を受信している場合であっても、駆動用スイッチ４９をＯＦＦ状態に制御してモータ４５への通電を停止する。
【０１１１】
［１−３−３．第２電圧用アダプタ］
次に、図６に示すように、第２電圧用アダプタ２０ｃは、第２電圧用コネクタ２１ｃと、機器接続ケーブル２３ｃと、機器側ユニット２５ｃと、を備える。
【０１１２】
第２電圧用コネクタ２１ｃは、グランド外部端子２１ｃ１と、第２外部端子２１ｃ２と、識別子出力端子２１ｃ３と、許可信号取得端子２１ｃ４と、を備える。グランド外部端子２１ｃ１は、グランド出力端子１３ａに接続可能に構成されている。第２外部端子２１ｃ２は、第２正極出力端子１３ｃに接続可能に構成されている。識別子出力端子２１ｃ３は、識別子取得端子１３ｄに接続可能に構成されている。許可信号取得端子２１ｃ４は、許可信号出力端子１３ｅに接続可能に構成されている。
【０１１３】
第２電圧用コネクタ２１ｃは、情報記憶部２０ｃ１を備えている。情報記憶部２０ｃ１は、識別子出力端子２１ｃ３を介して、識別子取得端子１３ｄに接続可能に構成されている。情報記憶部２０ｃ１は、第２電圧用アダプタ２０ｃに対応した識別子情報を記憶している。情報記憶部２０ｃ１は、第２電圧用アダプタ２０ｃに対応した識別子情報として、第２識別子情報ＩＤ２を記憶している。第２識別子情報ＩＤ２は、グランド出力端子１３ａと第２正極出力端子１３ｃとを用いて３６Ｖの電圧を出力する電圧出力状態を表す識別子情報である。
【０１１４】
なお、本実施形態では、複数出力用コネクタ２１ｂの情報記憶部２０ｂ１が記憶する識別子情報ＩＤと、第２電圧用コネクタ２１ｃの情報記憶部２０ｃ１が記憶する識別子情報ＩＤは、同一の第２識別子情報ＩＤ２である。複数出力用アダプタ２０ｂおよび第２電圧用アダプタ２０ｃは、電力供給装置１０から受電する際の電圧出力状態が同一の電圧出力状態となるためである。もし、複数出力用アダプタ２０ｂおよび第２電圧用アダプタ２０ｃについて、電力供給装置１０から受電する際の電圧出力状態が互いに異なる電圧出力状態となる場合には、それぞれ異なる識別子情報を情報記憶部に記憶するとよい。
【０１１５】
制御部３１は、第２電圧用コネクタ２１ｃから情報記憶部２０ｃ１の第２識別子情報ＩＤ２を取得すると、第２識別子情報ＩＤ２に基づいて、出力電圧スイッチ部３７の状態を制御する。制御部３１は、例えば、図６に示すように、第１スイッチ部ＳＷ１、第３スイッチ部ＳＷ３が遮断状態（ＯＦＦ状態）、第２スイッチ部ＳＷ２が通電状態（ＯＮ状態）となるように、出力電圧スイッチ部３７の状態を制御する。また、このとき、制御部３１は、第１パック並列接続部３３に接続された複数の電池パック３３ｃ１〜３３ｃ４のうち、出力電圧が最も高い電池パックに対応する個別スイッチ部（複数の個別スイッチ部３３ｂ１〜３３ｂ４のうち１つ）を通電状態（ＯＮ状態）に設定するとともに、そのほかの電池パックに対応する個別スイッチを遮断状態（ＯＦＦ状態）に設定する。さらに、このとき、制御部３１は、第２パック並列接続部３５においても同様に、複数の電池パックのうち、出力電圧が最も高い電池パックに対応する個別スイッチ部を通電状態（ＯＮ状態）に設定するとともに、そのほかの電池パックに対応する個別スイッチを遮断状態（ＯＦＦ状態）に設定する。
【０１１６】
これにより、電力供給装置１０は、第１パック並列接続部３３に接続された複数の電池パック３３ｃ１〜３３ｃ４のうちいずれか１つ、および第２パック並列接続部３５に接続された複数の電池パック３５ｃ１〜３５ｃ４のうちいずれか１つを用いて、出力コネクタ１３から３６Ｖの電圧を出力可能な状態となる。なお、図６では、電力供給装置１０については、出力コネクタ１３の概略構成および電池収容本体部１０ａにおける各スイッチ部の状態を表しており、他の構成については図示を省略している。
【０１１７】
機器接続ケーブル２３ｃは、第２電圧用コネクタ２１ｃに電気的に接続されるとともに、機器側ユニット２５ｃを介して間接的に第３電動機器４０ｃに接続される構成である。機器接続ケーブル２３ｃは、グランド外部端子２１ｃ１に接続されるグランド芯線２３ｃ１と、第２外部端子２１ｃ２に接続される第２電圧芯線２３ｃ２と、許可信号取得端子２１ｃ４に接続される許可信号芯線２３ｃ３と、を備えている。
【０１１８】
機器側ユニット２５ｃは、第３電動機器４０ｃのバッテリ装着部４３に着脱可能に構成されている。機器側ユニット２５ｃは、グランド機器端子２５ｃ１と、第２機器端子２５ｃ２と、許可信号機器端子２５ｃ３と、を備える。
【０１１９】
グランド芯線２３ｃ１は、第２電圧用コネクタ２１ｃのグランド外部端子２１ｃ１と機器側ユニット２５ｃのグランド機器端子２５ｃ１とを電気的に接続する。第２電圧芯線２３ｃ２は、第２電圧用コネクタ２１ｃの第２外部端子２１ｃ２と機器側ユニット２５ｃの第２機器端子２５ｃ２とを電気的に接続する。許可信号芯線２３ｃ３は、第２電圧用コネクタ２１ｃの許可信号取得端子２１ｃ４と機器側ユニット２５ｃの許可信号機器端子２５ｃ３とを電気的に接続する。
【０１２０】
第３電動機器４０ｃは、３６Ｖの電圧が供給されることで駆動可能に構成された電動機器である。第３電動機器４０ｃは、バッテリ装着部４３と、モータ４５と、モータ制御部４７と、駆動用スイッチ４９と、を備える。
【０１２１】
なお、第３電動機器４０ｃのバッテリ装着部４３、モータ４５、モータ制御部４７、駆動用スイッチ４９は、第１電動機器４０ａのバッテリ装着部４３、モータ４５、モータ制御部４７、駆動用スイッチ４９と比べて、駆動電圧が異なる点（１８Ｖ駆動ではなく３６Ｖ駆動）を除いて、ほぼ同様の構成であるため、詳細説明を省略する。
【０１２２】
［１−４．出力電圧制御］
電力供給装置１０が実行する各種制御処理のうち出力電圧制御処理について説明する。出力電圧制御処理などの各種制御処理は、電力供給装置１０のうち制御部３１が実行する。出力電圧制御処理は、出力コネクタ１３に接続された放電アダプタ２０から識別子情報ＩＤを取得し、その識別子情報ＩＤに応じた電圧出力状態で出力コネクタ１３から電圧出力するための処理である。
【０１２３】
制御部３１は、電力供給装置１０の起動スイッチ（図示省略）が使用者により操作されると、出力電圧制御処理を開始する。出力電圧制御処理のフローチャートを図７に示す。
制御部３１は、出力電圧制御処理を開始すると、まず、Ｓ１１０（Ｓはステップを表す）で、出力コネクタ１３に放電アダプタ２０が接続されたか否かを判定し、肯定判定するとＳ１２０に移行し、否定判定すると同ステップを繰り返し実行することで待機する。
【０１２４】
制御部３１は、Ｓ１１０で肯定判定してＳ１２０に移行すると、放電アダプタ２０から識別子情報ＩＤを取得する。本実施形態では、上述のとおり、識別子情報ＩＤとして、第１識別子情報ＩＤ１および第２識別子情報ＩＤ２が存在する。
【０１２５】
制御部３１は、次のＳ１３０では、取得した識別子情報ＩＤが第１識別子情報ＩＤ１であるか否かを判定する。このとき、制御部３１は、肯定判定するとＳ１４０に移行して第１電圧制御処理を実行し、否定判定するとＳ１５０に移行する。
【０１２６】
制御部３１は、Ｓ１３０で否定判定してＳ１５０に移行すると、取得した識別子情報ＩＤが第２識別子情報ＩＤ２であるか否かを判定する。このとき、制御部３１は、肯定判定するとＳ１６０に移行して第２電圧制御処理を実行し、否定判定するとＳ１７０に移行して待機モード処理を実行する。
【０１２７】
次に、第１電圧制御処理（Ｓ１４０）の処理内容を、図８のフローチャートを用いて説明する。
制御部３１は、第１電圧制御処理を開始すると、まず、Ｓ２１０では、第１電圧フラグＦ１をセットする。
【０１２８】
制御部３１は、次のＳ２２０では、第１パック並列接続部３３に接続された複数の電池パック３３ｃ１〜３３ｃ４、および第２パック並列接続部３５に接続された複数の電池パック３５ｃ１〜３５ｃ４について、状態を確認する。このとき、制御部３１は、各電池パックについて、出力電圧値を検出し、その検出結果に基づいて電圧出力が可能な状態（放電可能な状態）であるか否かを確認する。また、このとき、制御部３１は、各電池パックから放電停止信号Ｓｓが出力されているか否かを確認しても良い。放電停止信号Ｓｓは、電池パックが自己診断結果に基づいて、放電不可能な状態と判断したときに、出力される通知信号である。なお、放電不可能な状態としては、例えば、電力残容量が少ないために放電不可能な状態や、パックの温度上昇により放電不可能な状態などが挙げられる。
【０１２９】
制御部３１は、次のＳ２３０では、接続されている複数の電池パックの中に、放電可能な状態の電池パックがあるか否かを判定し、肯定判定するとＳ２５０に移行し、否定判定するとＳ２４０に移行して待機モード処理を実行する。
【０１３０】
制御部３１は、Ｓ２３０で肯定判定してＳ２５０に移行すると、複数の電池パック３３ｃ１〜３３ｃ４、３５ｃ１〜３５ｃ４の中から、放電する電池パックを決定する。このとき、電力残容量が最も多い電池パック（あるいは、出力電圧が最も高い電池パック）を、放電する電池パックに決定する。制御部３１は、複数の個別スイッチ部３３ｂ１〜３３ｂ４、３５ｂ１〜３５ｂ４のうち、放電する電池パックに対応する個別スイッチ部を通電状態（ＯＮ状態）に制御し、その他の個別スイッチを遮断状態（ＯＦＦ状態）に制御する。
【０１３１】
制御部３１は、次のＳ２６０では、第１パック並列接続部３３に接続された電池パックが放電するか否かを判定し、肯定判定するとＳ２７０に移行し、否定判定するとＳ２７５に移行する。つまり、Ｓ２６０では、第１パック並列接続部３３に接続された電池パックが放電するのか、第２パック並列接続部３５に接続された電池パックが放電するのかを判定している。
【０１３２】
制御部３１は、Ｓ２７０では、出力電圧スイッチ部３７に関して、第１スイッチ部ＳＷ１、第２スイッチ部ＳＷ２、第３スイッチ部ＳＷ３の全てを遮断状態（ＯＦＦ状態）に制御する。これにより、第１パック並列接続部３３に接続された電池パック３３ｃ１〜３３ｃ４の放電により、出力コネクタ１３からの電圧出力が可能な状態となる。
【０１３３】
制御部３１は、Ｓ２７５では、出力電圧スイッチ部３７に関して、第１スイッチ部ＳＷ１および第３スイッチ部ＳＷ３を通電状態（ＯＮ状態）に制御し、第２スイッチ部ＳＷ２を遮断状態（ＯＦＦ状態）に制御する。これにより、第２パック並列接続部３５に接続された電池パック３５ｃ１〜３５ｃ４の放電により、出力コネクタ１３からの電圧出力が可能な状態となる。
【０１３４】
制御部３１は、次のＳ２８０では、許可信号出力端子１３ｅから外部への放電許可信号ＤＳの出力を開始する。
制御部３１は、次のＳ２９０では、放電アダプタ２０が接続されているか否かを判定し、肯定判定するとＳ３００に移行し、否定判定するとＳ３３０に移行する。
【０１３５】
制御部３１は、Ｓ３００では、放電中の電池パック（Ｓ２５０で決定された電池パック）から放電停止信号Ｓｓが出力されているか否かを判定し、肯定判定するとＳ３１０に移行し、否定判定すると再びＳ２９０に移行する。なお、電池パックは、放電不可能な状態になると放電停止信号Ｓｓを制御部３１に対して出力する。放電不可能な状態としては、例えば、電力残容量が少ないために放電不可能な状態や、パックの温度上昇により放電不可能な状態などが挙げられる。
【０１３６】
制御部３１は、Ｓ３１０では、許可信号出力端子１３ｅから外部への放電許可信号ＤＳの出力を停止する。制御部３１は、次のＳ３２０では、出力電圧スイッチ部３７（第１スイッチ部ＳＷ１，第２スイッチ部ＳＷ２，第３スイッチ部ＳＷ３）、および全ての個別スイッチ部３３ｂ１〜３３ｂ４、３５ｂ１〜３５ｂ４を遮断状態（ＯＦＦ状態）に制御する。制御部３１は、Ｓ３２０での処理が完了すると、再びＳ２２０に移行する。
【０１３７】
制御部３１は、Ｓ２９０で否定判定されてＳ３３０に移行すると、許可信号出力端子１３ｅから外部への放電許可信号ＤＳの出力を停止する。制御部３１は、次のＳ３４０では、出力電圧スイッチ部３７（第１スイッチ部ＳＷ１，第２スイッチ部ＳＷ２，第３スイッチ部ＳＷ３）、および全ての個別スイッチ部３３ｂ１〜３３ｂ４、３５ｂ１〜３５ｂ４を遮断状態（ＯＦＦ状態）に制御する。制御部３１は、Ｓ３４０での処理が完了すると、第１電圧制御処理を終了して、再びＳ１１０に移行する。
【０１３８】
次に、第２電圧制御処理（Ｓ１６０）の処理内容を、図９のフローチャートを用いて説明する。
制御部３１は、第２電圧制御処理を開始すると、まず、Ｓ４１０では、第２電圧フラグＦ２をセットする。
【０１３９】
制御部３１は、次のＳ４２０では、第１パック並列接続部３３に接続された複数の電池パック３３ｃ１〜３３ｃ４、および第２パック並列接続部３５に接続された複数の電池パック３５ｃ１〜３５ｃ４について、状態を確認する。このとき、制御部３１は、各電池パックについて、出力電圧値を検出し、その検出結果に基づいて電圧出力が可能な状態（放電可能な状態）であるか否かを確認する。また、このとき、制御部３１は、各電池パックから放電停止信号Ｓｓが出力されているか否かを確認しても良い。
【０１４０】
制御部３１は、次のＳ４３０では、接続されている複数の電池パックの中に、放電可能な状態の電池パックがあるか否かを判定し、肯定判定するとＳ４５０に移行し、否定判定するとＳ４４０に移行して待機モード処理を実行する。
【０１４１】
制御部３１は、Ｓ４３０で肯定判定してＳ４５０に移行すると、第１パック並列接続部３３に接続された複数の電池パック３３ｃ１〜３３ｃ４の中から、放電する電池パックを１個決定するとともに、第２パック並列接続部３５に接続された複数の電池パック３５ｃ１〜３５ｃ４の中から、放電する電池パックを１個決定する。このとき、電力残容量が最も多い電池パック（あるいは、出力電圧が最も高い電池パック）を、放電する電池パックに決定する。制御部３１は、複数の個別スイッチ部３３ｂ１〜３３ｂ４、３５ｂ１〜３５ｂ４のうち、放電する電池パックに対応する個別スイッチ部を通電状態（ＯＮ状態）に制御し、その他の個別スイッチを遮断状態（ＯＦＦ状態）に制御する。
【０１４２】
制御部３１は、次のＳ４６０では、出力電圧スイッチ部３７に関して、第１スイッチ部ＳＷ１および第３スイッチ部ＳＷ３を遮断状態（ＯＦＦ状態）に制御し、第２スイッチ部ＳＷ２を通電状態（ＯＮ状態）に制御する。これにより、第１パック並列接続部３３に接続された電池パック３３ｃ１〜３３ｃ４の放電、および第２パック並列接続部３５に接続された電池パック３５ｃ１〜３５ｃ４の放電により、出力コネクタ１３からの電圧出力が可能な状態となる。
【０１４３】
制御部３１は、次のＳ４７０では、許可信号出力端子１３ｅから外部への放電許可信号ＤＳの出力を開始する。
制御部３１は、次のＳ４８０では、放電アダプタ２０の接続があるか否かを判定し、肯定判定するとＳ４９０に移行し、否定判定するとＳ５２０に移行する。
【０１４４】
制御部３１は、Ｓ４９０では、放電中の２個の電池パック（Ｓ４５０で決定された２個の電池パック）のうち少なくとも１個から放電停止信号Ｓｓが出力されているか否かを判定し、肯定判定するとＳ５００に移行し、否定判定すると再びＳ４８０に移行する。
【０１４５】
制御部３１は、Ｓ５００では、許可信号出力端子１３ｅから外部への放電許可信号ＤＳの出力を停止する。制御部３１は、次のＳ５１０では、出力電圧スイッチ部３７（第１スイッチ部ＳＷ１，第２スイッチ部ＳＷ２，第３スイッチ部ＳＷ３）、および全ての個別スイッチ部３３ｂ１〜３３ｂ４、３５ｂ１〜３５ｂ４を遮断状態（ＯＦＦ状態）に制御する。制御部３１は、Ｓ５１０での処理が完了すると、再びＳ４２０に移行する。
【０１４６】
制御部３１は、Ｓ４８０で否定判定されてＳ５２０に移行すると、許可信号出力端子１３ｅから外部への放電許可信号ＤＳの出力を停止する。制御部３１は、次のＳ５３０では、出力電圧スイッチ部３７（第１スイッチ部ＳＷ１，第２スイッチ部ＳＷ２，第３スイッチ部ＳＷ３）、および全ての個別スイッチ部３３ｂ１〜３３ｂ４、３５ｂ１〜３５ｂ４を遮断状態（ＯＦＦ状態）に制御する。制御部３１は、Ｓ５３０での処理が完了すると、第２電圧制御処理を終了して、再びＳ１１０に移行する。
【０１４７】
次に、待機モード処理（Ｓ１７０、Ｓ２４０、Ｓ４４０）の処理内容を、図１０のフローチャートを用いて説明する。
制御部３１は、待機モード処理を開始すると、まず、Ｓ６１０では、第１パック並列接続部３３に接続された複数の電池パック３３ｃ１〜３３ｃ４、および第２パック並列接続部３５に接続された複数の電池パック３５ｃ１〜３５ｃ４について、状態を確認する。このとき、制御部３１は、各電池パックについて、出力電圧値を検出し、その検出結果に基づいて電圧出力が可能な状態（放電可能な状態）であるか否かを確認する。また、このとき、制御部３１は、各電池パックについて、放電停止信号Ｓｓの出力があるか否かを確認してもよい。
【０１４８】
制御部３１は、次のＳ６２０では、接続されている複数の電池パックの中に、放電可能な状態の電池パックがあるか否かを判定するとともに、放電アダプタ２０の接続が解除されているか否かを判定する。
【０１４９】
このとき、制御部３１は、放電可能な状態の電池パックがある場合、または、放電アダプタ２０の接続が解除されている場合に、肯定判定して待機モード処理を終了し、再びＳ１１０に移行する。また、このとき、制御部３１は、放電可能な状態の電池パックがなく、かつ、放電アダプタ２０が接続されている場合に、否定判定して、再びＳ６１０に移行する。
【０１５０】
このように、電力供給装置１０は、出力電圧制御処理を実行することで、接続された放電アダプタ２０（第１電圧用アダプタ２０ａ、複数出力用アダプタ２０ｂ、第２電圧用アダプタ２０ｃ）の種類を判別して、放電アダプタ２０の種類に応じた電圧出力状態で出力コネクタ１３から電圧出力を行う。
【０１５１】
［１−５．効果］
以上説明したように、本実施形態の電力供給システム１に備えられる電力供給装置１０は、複数（４個以上）のパック接続部３３ａ１〜３３ａ４，３５ａ１〜３５ａ４に接続された複数の電池パック３３ｃ１〜３３ｃ４、３５ｃ１〜３５ｃ４を用いて出力コネクタ１３から電圧出力するにあたり、複数の電池パック３３ｃ１〜３３ｃ４、３５ｃ１〜３５ｃ４を、第１パック並列接続部３３および第２パック並列接続部３５の２つのグループに分類している。電力供給装置１０は、複数の電池パック３３ｃ１〜３３ｃ４、３５ｃ１〜３５ｃ４を２つのグループに分類した上で、第１パック並列接続部３３と出力コネクタ１３（グランド出力端子１３ａ、第１正極出力端子１３ｂ）との接続状態を固定状態としつつ、第２パック並列接続部３５と出力コネクタ１３（グランド出力端子１３ａ、第１正極出力端子１３ｂ、第２正極出力端子１３ｃ）との接続状態を切り替えるように構成されている。
【０１５２】
このような構成は、複数（４個以上）の電池パックと出力部（出力コネクタ）との接続状態を様々なパターンに切り替える構成に比べて、接続状態のパターンを減らすことができるため、出力電圧スイッチ部３７の構成を簡略化できる。これにより、電力供給装置１０は、出力電圧スイッチ部３７のコスト増加を抑制できる。
【０１５３】
そして、制御部３１が、出力コネクタ１３から出力すべき電圧出力状態を判定して、判定結果に基づき出力電圧スイッチ部３７を制御することで、複数の電圧出力状態を切り替えることができ、用途に応じた適切な電圧出力状態を実現できる。
【０１５４】
よって、この電力供給装置１０によれば、複数の電圧出力状態を切り替えるにあたり、装置の構成を簡略化することができ、コスト増加を抑制できる。
次に、第１パック並列接続部３３は、複数のパック接続部３３ａ１〜３３ａ４のそれぞれに直列接続された複数の個別スイッチ部３３ｂ１〜３３ｂ４を備えており、第２パック並列接続部３５は、複数のパック接続部３５ａ１〜３５ａ４のそれぞれに直列接続された複数の個別スイッチ部３５ｂ１〜３５ｂ４を備えている。制御部３１は、グランド出力端子１３ａと第１正極出力端子１３ｂとの間に、複数の電池パック３３ｃ１〜３３ｃ４、３５ｃ１〜３５ｃ４のうち１個の電池パックが接続されるように、複数の個別スイッチ部３３ｂ１〜３３ｂ４，３５ｂ１〜３５ｂ４および出力電圧スイッチ部３７を制御することができる。具体的には、第１電圧用アダプタ２０ａが接続された場合の電圧出力状態（図４参照）であり、第１電圧制御処理（Ｓ１４０）が実行されるときの電圧出力状態である。
【０１５５】
これにより、電力供給装置１０は、１個の電池パックの定格出力電圧（１８Ｖ）を、第１正極出力端子１３ｂおよびグランド出力端子１３ａから外部（詳細には、放電アダプタ２０、第１電動機器４０ａ）に出力できる。
【０１５６】
次に、制御部３１は、グランド出力端子１３ａと第２正極出力端子１３ｃとの間に、複数の電池パック３３ｃ１〜３３ｃ４、３５ｃ１〜３５ｃ４のうち２個の電池パックが直列接続されるように、複数の個別スイッチ部３３ｂ１〜３３ｂ４，３５ｂ１〜３５ｂ４および出力電圧スイッチ部３７を制御することができる。具体的には、第２電圧用アダプタ２０ｃが接続された場合の電圧出力状態（図６参照）であり、第２電圧制御処理（Ｓ１６０）が実行されるときの電圧出力状態である。
【０１５７】
これにより、電力供給装置１０は、直列接続された２個の電池パックの出力電圧（例えば、電池パックの定格出力電圧の２倍の電圧：３６Ｖ）を、第２正極出力端子１３ｃおよびグランド出力端子１３ａから外部に出力できる。
【０１５８】
次に、制御部３１は、第１パック並列接続部３３および第２パック並列接続部３５のそれぞれについて、接続された複数の電池パック３３ｃ１〜３３ｃ４、３５ｃ１〜３５ｃ４のうち現在電圧が最も高い電池パックを用いて電圧出力するように、複数の個別スイッチ部３３ｂ１〜３３ｂ４，３５ｂ１〜３５ｂ４を制御するように構成されている。
【０１５９】
このような電力供給装置１０は、第１パック並列接続部３３および第２パック並列接続部３５のそれぞれについて、電圧出力する毎に、複数の電池パック３３ｃ１〜３３ｃ４、３５ｃ１〜３５ｃ４のうち現在電圧が最も高い電池パックを用いて電圧出力するため、電圧出力する毎に、使用する電池パックを切り替えることができる。これにより、この電力供給装置１０は、第１パック並列接続部３３および第２パック並列接続部３５のそれぞれから電圧出力するにあたり、複数の電池パックを順番に使用することができ、１個の電池パックだけが継続使用されるのを抑制できるため、電池パックの寿命が短くなるのを抑制できる。
【０１６０】
次に、制御部３１は、放電アダプタ２０から取得した識別子情報ＩＤに基づいて、出力コネクタ１３から出力すべき電圧出力状態を判定している（出力電圧制御処理。Ｓ１２０〜Ｓ１６０）。この電力供給装置１０は、外部からの要求（換言すれば、放電アダプタ２０を選択した使用者の意志）に応じて電力出力状態を切り替えることができる。なお、識別子情報の取得方法としては、例えば、電気的信号として識別子情報を受信する取得方法や、電力供給装置に設けられたユーザ操作部を用いた操作入力により識別子情報を取得する方法など、を採用してもよい。
【０１６１】
次に、制御部３１は、識別子情報として、第１識別子情報ＩＤ１（１個の電池パックの定格出力電圧を出力する電圧出力状態を示す識別子情報）を取得した場合には、複数の電池パック３３ｃ１〜３３ｃ４、３５ｃ１〜３５ｃ４のうち１個の電池パックをグランド出力端子１３ａと第１正極出力端子１３ｂとの間に接続するように出力電圧スイッチ部３７を制御する。また、制御部３１は、識別子情報として、第２識別子情報ＩＤ２（１個の電池パックの出力電圧の２倍の電圧を出力する電圧出力状態を示す識別子情報）を取得した場合には、複数の電池パック３３ｃ１〜３３ｃ４、３５ｃ１〜３５ｃ４のうち直列接続した２個の電池パックをグランド出力端子１３ａと第２正極出力端子１３ｃとの間に接続するように出力電圧スイッチ部３７を制御する。
【０１６２】
この電力供給装置１０は、取得した識別子情報ＩＤの内容に応じて、出力電圧スイッチ部３７を制御することで、外部からの指令に基づいて、出力コネクタ１３から出力すべき電圧出力状態を少なくとも２つの出力状態（１個の電池パックの定格出力電圧を出力する電圧出力状態、１個の電池パックの出力電圧の２倍の電圧を出力する電圧出力状態）のいずれかに変更することができる。
【０１６３】
次に、制御部３１は、識別子情報ＩＤを取得できない場合には、出力コネクタ１３からの電圧出力を停止するように、出力電圧スイッチ部３７を制御する（Ｓ１７０：待機モード）。この電力供給装置１０は、外部からの指令に反した不適切な電圧出力状態（過大な電圧を出力する状態など）となることを抑制でき、出力コネクタ１３に接続された電動機器の破損を抑制できる。
【０１６４】
次に、第１パック並列接続部３３は、３個以上のパック接続部３３ａ１〜３３ａ４を備え、第２パック並列接続部３５は、３個以上のパック接続部３５ａ１〜３５ａ４を備える。このように、第１パック並列接続部３３および第２パック並列接続部３５がそれぞれ３個以上のパック接続部を備えることで、２個のパック接続部を備える場合に比べて、電力供給装置１０の全体として接続可能な電池パックの個数を増加でき、より長期にわたる電圧出力が可能となる。
【０１６５】
次に、電池パック３３ｃ１〜３３ｃ４、３５ｃ１〜３５ｃ４は、電池パックの状態を表す状態通知信号として放電停止信号Ｓｓを出力するように構成されている。そして、制御部３１は、第１パック並列接続部３３および第２パック並列接続部３５に接続された複数の電池パック３３ｃ１〜３３ｃ４、３５ｃ１〜３５ｃ４の放電停止信号Ｓｓに基づいて、第１パック並列接続部３３および第２パック並列接続部３５のそれぞれについて電圧出力可能であるか否かを判定する（Ｓ３００、Ｓ４９０）。制御部３１は、その判定の結果に基づいて、出力コネクタ１３に接続された電動機器に対する放電許可信号ＤＳの出力状態を制御するように構成されている（Ｓ３１０、Ｓ５００）。
【０１６６】
電力供給装置１０は、このように放電許可信号ＤＳの出力状態（出力・停止）の制御を行うことで、出力コネクタ１３に直接的にまたは他部材を介して間接的に接続された電動機器に対して、電力供給装置１０からの電力供給が可能か否かを通知することができる。これにより、電動機器が、電力供給装置の個々の電池パックが高温状態や過放電状態により電力供給が可能であるか否かを個別に判定することなく、放電許可信号ＤＳに基づいて電力供給装置１０から電力供給を受けられるか否かを判定できる。なお、放電許可信号ＤＳは、電力供給装置１０が電力供給可能か否かを表す信号である。
【０１６７】
次に、制御部３１は、識別子情報ＩＤとして、第１識別子情報ＩＤ１を取得した場合において、電池パックの状態を表す状態通知信号（放電停止信号Ｓｓ）に基づいて、第１パック並列接続部３３および第２パック並列接続部３５のうち少なくとも１つが電圧出力可能と判定された場合（Ｓ２３０で肯定判定）には、出力コネクタ１３に接続された電動機器に対して放電許可信号ＤＳを出力する（Ｓ２８０）ように構成されている。
【０１６８】
また、制御部３１は、識別子情報ＩＤとして、第２識別子情報ＩＤ２を取得した場合において、状態通知信号（放電停止信号Ｓｓ）に基づいて、第１パック並列接続部３３および第２パック並列接続部３５のいずれも電圧出力可能と判定された場合（Ｓ４３０で肯定判定）には、出力コネクタ１３に接続された電動機器に対して放電許可信号ＤＳを出力する（Ｓ４７０）ように構成されている。
【０１６９】
この電力供給装置１０は、取得した識別子情報ＩＤに応じた電圧出力状態を実現可能か否かについて状態通知信号（放電停止信号Ｓｓ）に基づいて判定し、判定結果に応じて放電許可信号ＤＳを出力することで、識別子情報ＩＤに応じた電圧出力状態が実現可能であることを電動機器に対して通知できる。
【０１７０】
次に、制御部３１は、識別子情報ＩＤに基づく電圧出力状態の判断が不可能な場合（Ｓ１３０，Ｓ１５０でそれぞれ否定判定した場合）、または、状態通知信号（放電停止信号Ｓｓ）に基づいて第１パック並列接続部３３および第２パック並列接続部３５のいずれも電圧出力が不可能と判定された場合（Ｓ２３０で否定判定、Ｓ４３０で否定判定、Ｓ３００で肯定判定、Ｓ４９０で肯定判定のうち少なくとも１つに該当した場合）には、出力コネクタ１３に接続された電動機器に対する放電許可信号ＤＳの出力を停止する（あるいは、放電許可信号ＤＳの出力を行わない）ように構成されている。
【０１７１】
この電力供給装置１０は、外部からの指令に反した不適切な電圧出力状態となることを抑制でき、また、識別子情報ＩＤに応じた電圧出力状態が実現不可能であることを電動機器に対して通知できる。
【０１７２】
次に、本実施形態の電力供給システム１は、電力供給装置１０と、外部機器側コネクタ（第１電圧用コネクタ２１ａ，複数出力用コネクタ２１ｂ，第２電圧用コネクタ２１ｃのいずれか）と、機器接続ケーブル２３ａ，２３ｂ，２３ｃと、を備える。電力供給装置１０は、第１パック並列接続部３３および第２パック並列接続部３５を収容する電池収容本体部１０ａと、出力コネクタ１３と電池収容本体部１０ａとを接続する出力延長ケーブル１５と、を備える。
【０１７３】
また、電力供給システム１に備えられる電力供給装置１０は、出力延長ケーブル１５を介して出力コネクタ１３と電池収容本体部１０ａとが接続される構成のため、出力コネクタ１３が電池収容本体部１０ａに埋設される構成（出力延長ケーブル１５を備えていない構成）に比べて、出力コネクタ１３または外部機器側コネクタ（第１電圧用コネクタ２１ａ，複数出力用コネクタ２１ｂ，第２電圧用コネクタ２１ｃのいずれか）に外力が加えられた際に、出力延長ケーブル１５が外力に応じて変形することで、出力コネクタ１３と外部機器側コネクタとの接続が外れる方向に外力が加わりやすくなる。このため、外力が加えられた場合には、出力コネクタ１３と外部機器側コネクタとが外れることで、電池収容本体部１０ａに外力が及ぶのを抑制できるとともに、電力供給システム１の使用者の安全性が高まる。
【０１７４】
次に、電力供給システム１においては、電力供給装置１０の制御部３１は外部から取得した識別子情報ＩＤに基づいて出力コネクタ１３から出力すべき電圧出力状態を判定している。電力供給装置１０の出力コネクタ１３は、識別子情報ＩＤを取得するための識別子取得端子１３ｄと、放電許可信号ＤＳを出力するための許可信号出力端子１３ｅと、を備えている。外部機器側コネクタ（第１電圧用コネクタ２１ａ，複数出力用コネクタ２１ｂ，第２電圧用コネクタ２１ｃ）は、識別子情報ＩＤを出力する識別子出力端子２１ａ３，２１ｂ４，２１ｃ３と、放電許可信号ＤＳを取得するための許可信号取得端子２１ａ４，２１ｂ５，２１ｃ４と、を備えている。識別子出力端子２１ａ３，２１ｂ４，２１ｃ３は、出力コネクタ１３との接続時には識別子取得端子１３ｄと接続されるように構成されている。許可信号取得端子２１ａ４，２１ｂ５，２１ｃ４は、出力コネクタ１３との接続時には許可信号出力端子１３ｅと接続されるように構成されている。
【０１７５】
このような電力供給システム１は、電力供給装置１０と外部機器側コネクタ（第１電圧用コネクタ２１ａ，複数出力用コネクタ２１ｂ，第２電圧用コネクタ２１ｃ。詳細には、放電アダプタを介して接続された電動機器。）との間で、識別子情報ＩＤおよび放電許可信号ＤＳのやりとりが可能になる。
【０１７６】
次に、外部機器側コネクタ（第１電圧用コネクタ２１ａ，複数出力用コネクタ２１ｂ，第２電圧用コネクタ２１ｃ。）は、識別子情報ＩＤを記憶する情報記憶部２０ａ１，２０ｂ１，２０ｃ１を備えている。このように、外部機器側コネクタが情報記憶部２０ａ１，２０ｂ１，２０ｃ１を備えることで、外部機器側コネクタから電力供給装置１０に対して、コネクタの種類（あるいは、放電アダプタの種類。さらには、電動機器の種類。）に応じた識別子情報ＩＤを出力することができ、電力供給装置１０から外部機器側コネクタに対する電圧出力状態を、コネクタの種類に適した電圧出力状態に設定できる。
【０１７７】
次に、電力供給システム１においては、複数出力用コネクタ２１ｂに接続される機器接続ケーブル２３ｂの第１外部芯線２３ｂ２は、複数出力用コネクタ２１ｂに接続される機器接続ケーブル２３ｂのグランド芯線２３ｂ１および第２外部芯線２３ｂ３よりも細い芯線（径寸法が小さい芯線）で構成されている。
【０１７８】
このように、複数出力用コネクタ２１ｂは、第１電圧用コネクタ２１ａ、第２電圧用コネクタ２１ｃと比べて、端子および芯線の数が多いが、第１外部芯線２３ｂ２がグランド芯線２３ｂ１および第２外部芯線２３ｂ３よりも細い芯線で構成されている。このため、複数出力用コネクタ２１ｂは、第１外部芯線２３ｂ２がグランド芯線２３ｂ１および第２外部芯線と２３ｂ３同等の太さの芯線で構成された場合に比べて、複数の芯線の合計断面積を縮小できるため、複数の芯線全体としての柔軟性を向上できる。これにより、複数出力用コネクタ２１ｂは、第１電圧用コネクタ２１ａおよび第２電圧用コネクタ２１ｃと比べて、接続される機器接続ケーブル２３ｂにおける複数の芯線全体の柔軟性が大幅に低下するのを抑制でき、複数の芯線のとりまわし作業の負担増加を抑制できる。
【０１７９】
また、このような構成を採ることで、出力コネクタ１３と電池収容本体部１０ａとの間の出力延長ケーブル１５の断面積（換言すれば、太さ）に比べて、外部機器側コネクタと外部機器（電動機器）との間の機器接続ケーブル２３ａ，２３ｂ，２３ｃの断面積を、小さく設定できる。これにより、機器接続ケーブル２３ａ，２３ｂ，２３ｃの柔軟性が高くなり、外部機器の取り回し作業時の負担を軽減できる。
【０１８０】
なお、複数の芯線は、単一の被覆部材により束ねられた状態で機器接続ケーブルとして備えられている。
次に、電力供給装置１０は、第１パック並列接続部３３および第２パック並列接続部３５を収容する電池収容本体部１０ａと、出力コネクタ１３と電池収容本体部１０ａとを接続する出力延長ケーブル１５と、を備えている。
【０１８１】
このように、電池収容本体部１０ａに対して出力コネクタ１３が出力延長ケーブル１５を介して接続されることで、電池収容本体部１０ａに対する出力コネクタ１３の相対位置を変更することができ、出力コネクタ１３のみを移動させることができるため、様々な使用環境に対応することができる。
【０１８２】
［１−６．文言の対応関係］
ここで、本実施形態における文言の対応関係について説明する。
電力供給システム１が電力供給システムの一例に相当し、電力供給装置１０が電力供給装置の一例に相当し、第１電圧用コネクタ２１ａ，複数出力用コネクタ２１ｂ，第２電圧用コネクタ２１ｃがそれぞれ外部機器側コネクタの一例に相当し、機器接続ケーブル２３ａ，２３ｂ，２３ｃがそれぞれ機器接続ケーブルの一例に相当する。
【０１８３】
第１パック並列接続部３３が第１パック並列接続部の一例に相当し、第２パック並列接続部３５が第２パック並列接続部の一例に相当する。複数のパック接続部３３ａ１〜３３ａ４，３５ａ１〜３５ａ４が複数のパック接続部の一例に相当し、複数の電池パック３３ｃ１〜３３ｃ４，３５ｃ１〜３５ｃ４が複数の電池パックの一例に相当し、複数の個別スイッチ部３３ｂ１〜３３ｂ４，３５ｂ１〜３５ｂ４が複数の個別スイッチ部の一例に相当する。出力コネクタ１３が出力部の一例に相当し、出力電圧スイッチ部３７が出力電圧スイッチ部の一例に相当し、制御部３１が制御部の一例に相当する。
【０１８４】
放電停止信号Ｓｓが状態通知信号の一例に相当し、放電許可信号ＤＳが放電許可信号の一例に相当する。
［２．第２実施形態］
次に、第２実施形態として、３個のパック並列接続部を備える第２電力供給装置１１０について説明する。
【０１８５】
図１１〜図１４に示すように、第２電力供給装置１１０は、第２電力供給システム１０１の一部を構成することができる。第２電力供給システム１０１は、第２電力供給装置１１０と、第２放電アダプタ１２０と、を備える。
【０１８６】
［２−１．第２電力供給装置］
第２電力供給装置１１０は、第１実施形態の電力供給装置１０と同様に、電池収容本体部と、背負いベルトと、出力コネクタと、出力延長ケーブルと、を備えており、外観は電力供給装置１０と同様であるため、図示および説明を省略する。
【０１８７】
第２電力供給装置１１０は、図１１に示すように、第２電池収容本体部１１０ａと、第２出力コネクタ１１３と、第２出力延長ケーブル１１５と、を備える。
第２出力コネクタ１１３は、グランド出力端子１１３ａ、第１正極出力端子１１３ｂ、第２正極出力端子１１３ｃ、第３正極出力端子１１３ｄ、識別子取得端子１１３ｅ、許可信号出力端子１１３ｆを備えて構成されている。
【０１８８】
グランド出力端子１１３ａは、出力電圧の基準電位（＝０Ｖ）となる端子である。第１正極出力端子１１３ｂは、出力電圧として１８Ｖを出力する際、または、複数の１８Ｖを出力する際に用いられる端子である。第２正極出力端子１１３ｃは、出力電圧として３６Ｖを出力する際、または、複数の１８Ｖを出力する際に用いられる端子である。第３正極出力端子１１３ｄは、出力電圧として５４Ｖを出力する際、または、複数の１８Ｖを出力する際に用いられる端子である。識別子取得端子１１３ｅは、外部から識別子情報ＩＤを取得するための端子である。許可信号出力端子１１３ｆは、外部に対して放電許可信号ＤＳを出力するための端子である。
【０１８９】
第２出力延長ケーブル１１５は、第２出力コネクタ１１３と第２電池収容本体部１１０ａとを電気的に接続するケーブルである。第２出力延長ケーブル１１５は、複数の芯線を備えている。第２出力延長ケーブル１１５は、複数の電圧出力用芯線１１５ａ，１１５ｂ，１１５ｃ，１１５ｄと、複数の信号用芯線１１５ｅ，１１５ｆと、を備える。複数の電圧出力用芯線１１５ａ，１１５ｂ，１１５ｃ，１１５ｄは、それぞれ、グランド出力端子１１３ａ、第１正極出力端子１１３ｂ、第２正極出力端子１１３ｃ、第３正極出力端子１１３ｄに接続される。複数の信号用芯線１１５ｅ，１１５ｆは、それぞれ、識別子取得端子１１３ｅ、許可信号出力端子１１３ｆに接続される。
【０１９０】
第２電池収容本体部１１０ａは、図１１に示すように、制御部３１と、第１パック並列接続部３３と、第２パック並列接続部３５と、第３パック並列接続部３９と、第２出力電圧スイッチ部１３７と、を備えて構成されている。
【０１９１】
制御部３１は、第２電池収容本体部１１０ａにおける各種制御処理を実行する。制御部３１は、例えば、第２出力コネクタ１１３から出力する電圧を制御する出力電圧制御処理や、第２電池収容本体部１１０ａの各部の異常を検出する異常検出処理などを行う。制御部３１は、ＣＰＵ３１ａ（演算部３１ａ）、メモリ３１ｂ（記憶部３１ｂ）などを有する。制御部３１が有する機能は、主に、ＣＰＵ３１ａがメモリ３１ｂに記憶されている各種プログラムを実行することにより実現される。
【０１９２】
第１パック並列接続部３３および第２パック並列接続部３５は、第１実施形態と同様の構成であるため、説明を省略する。第３パック並列接続部３９は、第１パック並列接続部３３および第２パック並列接続部３５と同様に、複数（本実施形態では、４個）のパック接続部と、複数（本実施形態では、４個）の個別スイッチ部と、を備えるとともに、複数のパック接続部のそれぞれに対して電池パックが着脱可能に接続されるように構成されている。第３パック並列接続部３９は、第１パック並列接続部３３および第２パック並列接続部３５と同様の構成であるため、詳細説明は省略する。
【０１９３】
次に、第２出力電圧スイッチ部１３７は、第１スイッチ部ＳＷ１、第２スイッチ部ＳＷ２、第３スイッチ部ＳＷ３、第４スイッチ部ＳＷ４、第５スイッチ部ＳＷ５、第６スイッチ部ＳＷ６を備えている。第２出力電圧スイッチ部１３７は、第２パック並列接続部３５と第２出力コネクタ１１３（詳細には、グランド出力端子１１３ａ、第１正極出力端子１１３ｂ、第２正極出力端子１１３ｃ、第３正極出力端子１１３ｄ）との電気的接続状態、および第３パック並列接続部３９と第２出力コネクタ１１３との電気的接続状態、を切り替えるように構成されている。
【０１９４】
第２出力コネクタ１１３において、グランド出力端子１１３ａは、第１パック並列接続部３３に直接接続されるとともに、第２出力電圧スイッチ部１３７（詳細には、第１スイッチ部ＳＷ１、第４スイッチ部ＳＷ４）を介して第２パック並列接続部３５および第３パック並列接続部３９に接続されている。第１正極出力端子１１３ｂは、第１パック並列接続部３３に直接接続されるとともに、第２出力電圧スイッチ部１３７（詳細には、第２スイッチ部ＳＷ２、第３スイッチ部ＳＷ３、第６スイッチ部ＳＷ６）を介して第２パック並列接続部３５および第３パック並列接続部３９に接続されている。第２正極出力端子１１３ｃは、第２パック並列接続部３５に直接接続されるとともに、第２出力電圧スイッチ部１３７（詳細には、第５スイッチ部ＳＷ５）を介して第３パック並列接続部３９に接続されている。第３正極出力端子１１３ｄは、第３パック並列接続部３９に直接接続されている。
【０１９５】
グランド出力端子１１３ａは、第１パック並列接続部３３との接続については、複数のパック接続部３３ａ１〜３３ａ４を介して複数の電池パック３３ｃ１〜３３ｃ４の負極端子−に電気的に接続されている。グランド出力端子１１３ａは、第２パック並列接続部３５との接続については、第２出力電圧スイッチ部１３７（詳細には、第１スイッチ部ＳＷ１）を介するとともに、複数のパック接続部３５ａ１〜３５ａ４を介して複数の電池パック３５ｃ１〜３５ｃ４の負極端子−に電気的に接続されている。グランド出力端子１１３ａは、第３パック並列接続部３９との接続については、第２出力電圧スイッチ部１３７（詳細には、第４スイッチ部ＳＷ４）を介するとともに、複数のパック接続部（図示省略）を介して複数の電池パック（図示省略）の負極端子−に電気的に接続されている。
【０１９６】
第１正極出力端子１１３ｂは、第１パック並列接続部３３との接続については、複数の個別スイッチ部３３ｂ１〜３３ｂ４および複数のパック接続部３３ａ１〜３３ａ４を介して複数の電池パック３３ｃ１〜３３ｃ４の正極端子＋に電気的に接続可能に構成されている。第１正極出力端子１１３ｂは、第２パック並列接続部３５との接続については、第２出力電圧スイッチ部１３７（詳細には、第２スイッチ部ＳＷ２）を介するとともに、複数のパック接続部３５ａ１〜３５ａ４を介して複数の電池パック３５ｃ１〜３５ｃ４の負極端子−に電気的に接続可能に構成されている。さらに、第１正極出力端子１１３ｂは、第２パック並列接続部３５との接続については、第２出力電圧スイッチ部１３７（詳細には、第３スイッチ部ＳＷ３）を介するとともに、複数の個別スイッチ部３５ｂ１〜３５ｂ４および複数のパック接続部３５ａ１〜３５ａ４を介して複数の電池パック３５ｃ１〜３５ｃ４の正極端子＋に電気的に接続可能に構成されている。さらに、第１正極出力端子１１３ｂは、第３パック並列接続部３９との接続については、第２出力電圧スイッチ部１３７（詳細には、第６スイッチ部ＳＷ６）を介するとともに、複数の個別スイッチ部（図示省略）および複数のパック接続部（図示省略）を介して複数の電池パック（図示省略）の正極端子＋に電気的に接続可能に構成されている。
【０１９７】
第２正極出力端子１１３ｃは、第２パック並列接続部３５との接続については、複数の個別スイッチ部３５ｂ１〜３５ｂ４および複数のパック接続部３５ａ１〜３５ａ４を介して複数の電池パック３５ｃ１〜３５ｃ４の正極端子＋に電気的に接続可能に構成されている。第２正極出力端子１１３ｃは、第３パック並列接続部３９との接続については、第２出力電圧スイッチ部１３７（詳細には、第５スイッチ部ＳＷ５）を介するとともに、複数のパック接続部（図示省略）を介して複数の電池パック（図示省略）の負極端子−に電気的に接続可能に構成されている。
【０１９８】
第３正極出力端子１１３ｄは、第３パック並列接続部３９との接続については、複数の個別スイッチ部（図示省略）および複数のパック接続部（図示省略）を介して複数の電池パック（図示省略）の正極端子＋に電気的に接続可能に構成されている。
【０１９９】
つまり、第２出力電圧スイッチ部１３７は、第２パック並列接続部３５に接続された電池パック３５ｃ１〜３５ｃ４の正極端子の接続状態を、第２正極出力端子１１３ｃのみに接続される状態、および少なくとも第１正極出力端子１１３ｂに接続される状態のうち、いずれかに切り替えるように構成されている。なお、本実施形態の第２出力電圧スイッチ部１３７は、「少なくとも第１正極出力端子１１３ｂに接続される状態」として「第１正極出力端子１１３ｂおよび第２正極出力端子１１３ｃに接続される状態」を実現可能に構成されている。また、第２出力電圧スイッチ部１３７は、第２パック並列接続部３５に接続された電池パック３５ｃ１〜３５ｃ４の負極端子の接続状態を、第１正極出力端子１１３ｂに接続される状態、およびグランド出力端子１１３ａに接続される状態のうち、いずれかに切り替えるように構成されている。
【０２００】
さらに、第２出力電圧スイッチ部１３７は、第３パック並列接続部３９に接続された複数の電池パックの正極端子の接続状態を、第３正極出力端子１１３ｄのみに接続される状態、および少なくとも第１正極出力端子１１３ｂに接続される状態のうち、いずれかに切り替えるように構成されている。なお、本実施形態の第２出力電圧スイッチ部１３７は、「少なくとも第１正極出力端子１１３ｂに接続される状態」として「第１正極出力端子１１３ｂおよび第３正極出力端子１１３ｄに接続される状態」を実現可能に構成されている。また、第２出力電圧スイッチ部１３７は、第３パック並列接続部３９に接続された複数の電池パックの負極端子の接続状態を、第２正極出力端子１１３ｃに接続される状態、およびグランド出力端子１１３ａに接続される状態のうち、いずれかに切り替えるように構成されている。
【０２０１】
また、第１パック並列接続部３３は、複数の電池パック３３ｃ１〜３３ｃ４の正極端子を第１正極出力端子１１３ｂに接続するとともに、複数の電池パック３３ｃ１〜３３ｃ４の負極端子をグランド出力端子１１３ａに接続するように構成されている。
【０２０２】
［２−２．第２放電アダプタ］
第２放電アダプタ１２０は、電動機器に対する電圧出力状態が異なる複数種類の放電アダプタを備えている。図１２，図１３，図１４に示すように、第２放電アダプタ１２０は、第３電圧用アダプタ１２０ａと、複数出力用アダプタ１２０ｂと、第１電圧用アダプタ１２０ｃと、を備える。
【０２０３】
第３電圧用アダプタ１２０ａは、電動機器に対して５４Ｖの電圧（１個の電池パックの定格電圧を３倍した電圧）を１系統出力するように構成されている。複数出力用アダプタ１２０ｂは、電動機器に対して１８Ｖの電圧（１個の電池パックの定格電圧）を３系統出力するように構成されている。第１電圧用アダプタ１２０ｃは、電動機器に対して１８Ｖの電圧（１個の電池パックの定格電圧）を１系統出力するように構成されている。
【０２０４】
［２−２−１．第３電圧用アダプタ］
図１２に示すように、第３電圧用アダプタ１２０ａは、電圧５４Ｖの出力系統を１個備えており、１系統の電圧５４Ｖを電動機器に出力するためのアダプタである。第３電圧用アダプタ１２０ａは、第３電圧用コネクタ１２１ａと、機器接続ケーブル１２３ａと、機器側ユニット１２５ａと、を備える。機器側ユニット１２５ａは、第４電動機器４０ｄに着脱可能に構成されている。
【０２０５】
第３電圧用コネクタ１２１ａは、グランド外部端子１２１ａ１と、第３外部端子１２１ａ２と、識別子出力端子１２１ａ３と、許可信号取得端子１２１ａ４と、を備える。グランド外部端子１２１ａ１は、グランド出力端子１１３ａに接続可能に構成されている。第３外部端子１２１ａ２は、第３正極出力端子１１３ｄに接続可能に構成されている。識別子出力端子１２１ａ３は、識別子取得端子１１３ｅに接続可能に構成されている。許可信号取得端子１２１ａ４は、許可信号出力端子１１３ｆに接続可能に構成されている。
【０２０６】
第３電圧用コネクタ１２１ａは、情報記憶部１２０ａ１を備えている。情報記憶部１２０ａ１は、識別子出力端子１２１ａ３を介して、識別子取得端子１１３ｅに接続可能に構成されている。情報記憶部１２０ａ１は、第３電圧用アダプタ１２０ａに対応した識別子情報を記憶している。情報記憶部１２０ａ１は、第３電圧用アダプタ１２０ａに対応した識別子情報として、第３識別子情報ＩＤ３を記憶している。第３識別子情報ＩＤ３は、グランド出力端子１１３ａと第３正極出力端子１１３ｄとを用いて５４Ｖの電圧を出力する電圧出力状態を表す識別子情報である。
【０２０７】
制御部３１は、第３電圧用コネクタ１２１ａから情報記憶部１２０ａ１の第３識別子情報ＩＤ３を取得すると、第３識別子情報ＩＤ３に基づいて、第２出力電圧スイッチ部１３７の状態を制御する。制御部３１は、例えば、図１２に示すように、第１スイッチ部ＳＷ１、第３スイッチ部ＳＷ３、第４スイッチ部ＳＷ４、第６スイッチ部ＳＷ６が遮断状態（ＯＦＦ状態）、第２スイッチ部ＳＷ２、第５スイッチ部ＳＷ５が通電状態（ＯＮ状態）となるように、第２出力電圧スイッチ部１３７の状態を制御する。また、このとき、制御部３１は、第１パック並列接続部３３、第２パック並列接続部３５、第３パック並列接続部３９のそれぞれにおいて、接続された複数の電池パックのうち、出力電圧が最も高い電池パックに対応する個別スイッチ部を通電状態（ＯＮ状態）に設定するとともに、そのほかの電池パックに対応する個別スイッチを遮断状態（ＯＦＦ状態）に設定する。
【０２０８】
これにより、第２電力供給装置１１０は、第１パック並列接続部３３に接続された複数の電池パック３３ｃ１〜３３ｃ４のうちいずれか１つ、第２パック並列接続部３５に接続された複数の電池パック３５ｃ１〜３５ｃ４のうちいずれか１つ、および第３パック並列接続部３９に接続された複数の電池パックのうちいずれか１つを用いて（換言すれば、３個の電池パックを用いて）、第２出力コネクタ１１３から５４Ｖの電圧を出力可能な状態となる。なお、図１２では、第２電力供給装置１１０については、第２出力コネクタ１１３の概略構成および第２電池収容本体部１１０ａにおける各スイッチ部の状態を表しており、他の構成については図示を省略している。
【０２０９】
機器接続ケーブル１２３ａは、第３電圧用コネクタ１２１ａに電気的に接続されるとともに、機器側ユニット１２５ａを介して間接的に第４電動機器４０ｄに接続される構成である。機器接続ケーブル１２３ａは、グランド外部端子１２１ａ１に接続されるグランド芯線１２３ａ１と、第３外部端子１２１ａ２に接続される第３電圧芯線１２３ａ２と、許可信号取得端子１２１ａ４に接続される許可信号芯線１２３ａ３と、を備えている。
【０２１０】
機器側ユニット１２５ａは、第４電動機器４０ｄのバッテリ装着部４３に着脱可能に構成されている。機器側ユニット１２５ａは、グランド機器端子１２５ａ１と、第３機器端子１２５ａ２と、許可信号機器端子１２５ａ３と、を備える。
【０２１１】
グランド芯線１２３ａ１は、第３電圧用コネクタ１２１ａのグランド外部端子１２１ａ１と機器側ユニット１２５ａのグランド機器端子１２５ａ１とを電気的に接続する。第３電圧芯線１２３ａ２は、第３電圧用コネクタ１２１ａの第３外部端子１２１ａ２と機器側ユニット１２５ａの第３機器端子１２５ａ２とを電気的に接続する。許可信号芯線１２３ａ３は、第３電圧用コネクタ１２１ａの許可信号取得端子１２１ａ４と機器側ユニット１２５ａの許可信号機器端子１２５ａ３とを電気的に接続する。
【０２１２】
第４電動機器４０ｄは、５４Ｖの電圧が供給されることで駆動可能に構成された電動機器である。第４電動機器４０ｄは、バッテリ装着部４３と、モータ４５と、モータ制御部４７と、駆動用スイッチ４９と、を備える。
【０２１３】
なお、第４電動機器４０ｄのバッテリ装着部４３、モータ４５、モータ制御部４７、駆動用スイッチ４９は、第１電動機器４０ａのバッテリ装着部４３、モータ４５、モータ制御部４７、駆動用スイッチ４９と比べて、駆動電圧が異なる点（１８Ｖ駆動ではなく５４Ｖ駆動）を除いて、ほぼ同様の構成であるため、詳細説明を省略する。
【０２１４】
［２−２−２．複数出力用アダプタ］
図１３に示すように、複数出力用アダプタ１２０ｂは、電圧１８Ｖの出力系統を３個備えており、３系統の電圧１８Ｖを電動機器に出力するためのアダプタである。複数出力用アダプタ１２０ｂは、複数出力用コネクタ１２１ｂと、機器接続ケーブル１２３ｂと、機器側ユニット１２５ｂと、を備える。機器側ユニット１２５ｂは、第１機器側ユニット１２５ｂ１と、第２機器側ユニット１２５ｂ２と、第３機器側ユニット１２５ｂ３と、を備える。機器側ユニット１２５ｂは、第５電動機器４０ｅに着脱可能に構成されている。
【０２１５】
複数出力用コネクタ１２１ｂは、グランド外部端子１２１ｂ１と、第１外部端子１２１ｂ２と、第２外部端子２１ｂ３と、第３外部端子１２１ｂ４と、識別子出力端子１２１ｂ５と、許可信号取得端子１２１ｂ６と、を備える。グランド外部端子１２１ｂ１は、グランド出力端子１１３ａに接続可能に構成されている。第１外部端子１２１ｂ２は、第１正極出力端子１１３ｂに接続可能に構成されている。第２外部端子１２１ｂ３は、第２正極出力端子１１３ｃに接続可能に構成されている。第３外部端子１２１ｂ４は、第３正極出力端子１１３ｄに接続可能に構成されている。識別子出力端子１２１ｂ５は、識別子取得端子１１３ｅに接続可能に構成されている。許可信号取得端子１２１ｂ６は、許可信号出力端子１１３ｆに接続可能に構成されている。
【０２１６】
複数出力用コネクタ１２１ｂは、情報記憶部１２０ｂ１を備えている。情報記憶部１２０ｂ１は、識別子出力端子１２１ｂ５を介して、識別子取得端子１１３ｅに接続可能に構成されている。情報記憶部１２０ｂ１は、複数出力用アダプタ１２０ｂに対応した識別子情報を記憶している。情報記憶部１２０ｂ１は、複数出力用アダプタ１２０ｂに対応した識別子情報として、第３識別子情報ＩＤ３を記憶している。第３識別子情報ＩＤ３は、電圧１８Ｖの出力系統を３個備える電圧出力状態を表す識別子情報である。この電圧出力状態は、具体的には、グランド出力端子１１３ａと第１正極出力端子１１３ｂとを用いて１８Ｖの出力電圧（第１系統）を出力し、第１正極出力端子１１３ｂと第２正極出力端子１１３ｃを用いて１８Ｖの出力電圧（第２系統）を出力し、第２正極出力端子１１３ｃと第３正極出力端子１１３ｄを用いて１８Ｖの出力電圧（第３系統）を出力する電圧出力状態である。
【０２１７】
なお、本実施形態では、複数出力用コネクタ１２１ｂの情報記憶部１２０ｂ１が記憶する識別子情報ＩＤと、第３電圧用コネクタ１２１ａの情報記憶部１２０ａ１が記憶する識別子情報ＩＤは、同一の第３識別子情報ＩＤ３である。複数出力用アダプタ１２０ｂおよび第３電圧用アダプタ１２０ａは、第２電力供給装置１１０から受電する際の電圧出力状態が同一の電圧出力状態となるためである。もし、複数出力用アダプタ１２０ｂおよび第３電圧用アダプタ１２０ａについて、第２電力供給装置１１０から受電する際の電圧出力状態が互いに異なる電圧出力状態となる場合には、それぞれ異なる識別子情報を情報記憶部に記憶するとよい。
【０２１８】
制御部３１は、複数出力用コネクタ１２１ｂから情報記憶部１２０ｂ１の第３識別子情報ＩＤ３を取得すると、第３識別子情報ＩＤ３に基づいて、第２出力電圧スイッチ部１３７の状態を制御する。制御部３１は、例えば、図１３に示すように、第１スイッチ部ＳＷ１、第３スイッチ部ＳＷ３、第４スイッチ部ＳＷ４、第６スイッチ部ＳＷ６が遮断状態（ＯＦＦ状態）、第２スイッチ部ＳＷ２、第５スイッチ部ＳＷ５が通電状態（ＯＮ状態）となるように、第２出力電圧スイッチ部１３７の状態を制御する。また、このとき、制御部３１は、第１パック並列接続部３３、第２パック並列接続部３５、第３パック並列接続部３９のそれぞれにおいて、接続された複数の電池パックのうち、出力電圧が最も高い電池パックに対応する個別スイッチ部を通電状態（ＯＮ状態）に設定するとともに、そのほかの電池パックに対応する個別スイッチを遮断状態（ＯＦＦ状態）に設定する。
【０２１９】
これにより、第２電力供給装置１１０は、第１パック並列接続部３３に接続された複数の電池パック３３ｃ１〜３３ｃ４のうちいずれか１つ、第２パック並列接続部３５に接続された複数の電池パック３５ｃ１〜３５ｃ４のうちいずれか１つ、および第３パック並列接続部３９に接続された複数の電池パックのうちいずれか１つを用いて（換言すれば、３個の電池パックを用いて）、第２出力コネクタ１１３から１８Ｖの電圧を３系統出力可能な状態となる。なお、図１３では、第２電力供給装置１１０については、第２出力コネクタ１１３の概略構成および第２電池収容本体部１１０ａにおける各スイッチ部の状態を表しており、他の構成については図示を省略している。
【０２２０】
機器接続ケーブル１２３ｂは、複数出力用コネクタ１２１ｂに電気的に接続されるとともに、機器側ユニット１２５ｂ（第１機器側ユニット１２５ｂ１、第２機器側ユニット１２５ｂ２、第３機器側ユニット１２５ｂ３）を介して間接的に第５電動機器４０ｅに接続される構成である。機器接続ケーブル１２３ｂは、複数出力用コネクタ１２１ｂと第１機器側ユニット１２５ｂ１との間、複数出力用コネクタ１２１ｂと第２機器側ユニット１２５ｂ２との間、複数出力用コネクタ１２１ｂと第３機器側ユニット１２５ｂ３との間、のそれぞれに設けられる。機器接続ケーブル１２３ｂは、グランド外部端子１２１ｂ１に接続されるグランド芯線１２３ｂ１と、第１外部端子１２１ｂ２に接続される第１外部芯線１２３ｂ２と、第２外部端子１２１ｂ３に接続される第２外部芯線１２３ｂ３と、第３外部端子１２１ｂ４に接続される第３外部芯線１２３ｂ４と、許可信号取得端子１２１ｂ６に接続される許可信号芯線１２３ｂ５と、を備えている。
【０２２１】
第１機器側ユニット１２５ｂ１、第２機器側ユニット１２５ｂ２、第３機器側ユニット１２５ｂ３は、それぞれ第５電動機器４０ｅの第１バッテリ装着部４３、第２バッテリ装着部４４、第３バッテリ装着部４６に着脱可能に構成されている。第１機器側ユニット１２５ｂ１は、グランド機器端子１２５ｂ１１と、第１機器端子１２５ｂ１２と、許可信号機器端子１２５ｂ１３と、を備える。第２機器側ユニット１２５ｂ２は、グランド機器端子１２５ｂ２１と、第１機器端子１２５ｂ２２と、許可信号機器端子１２５ｂ２３と、を備える。第３機器側ユニット１２５ｂ３は、グランド機器端子１２５ｂ３１と、第１機器端子１２５ｂ３２と、許可信号機器端子１２５ｂ３３と、を備える。
【０２２２】
グランド芯線１２３ｂ１は、複数出力用コネクタ１２１ｂのグランド外部端子１２１ｂ１と第３機器側ユニット１２５ｂ３のグランド機器端子１２５ｂ３１とを電気的に接続する。第１外部芯線１２３ｂ２は、複数出力用コネクタ１２１ｂの第１外部端子１２１ｂ２と第３機器側ユニット１２５ｂ３の第１機器端子１２５ｂ３２とを電気的に接続する。第２外部芯線１２３ｂ３は、複数出力用コネクタ１２１ｂの第２外部端子１２１ｂ３と第２機器側ユニット１２５ｂ２の第１機器端子１２５ｂ２２とを電気的に接続する。第３外部芯線１２３ｂ４は、複数出力用コネクタ１２１ｂの第３外部端子１２１ｂ４と第１機器側ユニット１２５ｂ１の第１機器端子１２５ｂ１２とを電気的に接続する。許可信号芯線１２３ｂ５は、複数出力用コネクタ１２１ｂの許可信号取得端子１２１ｂ６と第１機器側ユニット１２５ｂ１の許可信号機器端子１２５ｂ１３とを電気的に接続する。
【０２２３】
なお、複数出力用コネクタ１２１ｂに接続される機器接続ケーブル１２３ｂの第１外部芯線１２３ｂ２および第２外部芯線１２３ｂ３は、複数出力用コネクタ１２１ｂに接続される機器接続ケーブル１２３ｂのグランド芯線１２３ｂ１および第３外部芯線１２３ｂ４よりも細い芯線（径寸法が小さい芯線）で構成されている。
【０２２４】
また、第１機器側ユニット１２５ｂ１のグランド機器端子１２５ｂ１１、第２機器側ユニット１２５ｂ２のグランド機器端子１２５ｂ２１は、いずれも、機器接続ケーブル１２３ｂのうちいずれの芯線にも接続されていない。さらに、第２機器側ユニット１２５ｂ２および第３機器側ユニット１２５ｂ３は、それぞれ、ダミー許可信号記憶部１２５ｂ２４およびダミー許可信号記憶部１２５ｂ３４を備える。ダミー許可信号記憶部１２５ｂ２４は、許可信号機器端子１２５ｂ２３に接続されており、許可信号機器端子１２５ｂ２３を介して、第５電動機器４０ｅに対してダミー許可信号ＤＳを出力する。ダミー許可信号記憶部１２５ｂ３４は、許可信号機器端子１２５ｂ３３に接続されており、許可信号機器端子１２５ｂ３３を介して、第５電動機器４０ｅに対して常に放電許可信号を出力するようにダミー許可信号ＤＳを出力する。
【０２２５】
第５電動機器４０ｅは、１８Ｖの電圧が３系統供給されることで駆動可能に構成された電動機器である。第５電動機器４０ｅは、第１バッテリ装着部４３と、第２バッテリ装着部４４と、第３バッテリ装着部４６と、モータ４５と、モータ制御部４７と、駆動用スイッチ４９と、を備える。
【０２２６】
なお、第５電動機器４０ｅは、第２電動機器４０ｂと比べて、少なくとも第３バッテリ装着部４６を備えている点が異なるが、バッテリ装着部４３、第１バッテリ装着部４３、第２バッテリ装着部４４、モータ４５、モータ制御部４７、駆動用スイッチ４９を備える点では共通しており、ほぼ同様の構成であるため、詳細説明を省略する。
【０２２７】
なお、第３バッテリ装着部４６は、グランド端子４６ａと、第１機器電圧端子４６ｂと、許可信号受信端子４６ｃと、を備える。グランド端子４６ａは、グランド機器端子１２５ｂ３１に接続可能に構成されている。第１機器電圧端子４６ｂは、第１機器端子１２５ｂ３２に接続可能に構成されている。許可信号受信端子４６ｃは、許可信号機器端子１２５ｂ３３に接続可能に構成されている。
【０２２８】
［２−２−３．第１電圧用アダプタ］
図１４に示すように、第１電圧用アダプタ１２０ｃは、電圧１８Ｖの出力系統を１個備えており、１系統の電圧１８Ｖを電動機器に出力するためのアダプタである。第１電圧用アダプタ１２０ｃは、第１電圧用コネクタ１２１ｃと、機器接続ケーブル１２３ｃと、機器側ユニット１２５ｃと、を備える。機器側ユニット１２５ｃは、第６電動機器４０ｆに着脱可能に構成されている。
【０２２９】
第１電圧用コネクタ１２１ｃは、グランド外部端子１２１ｃ１と、第１外部端子１２１ｃ２と、識別子出力端子１２１ｃ３と、許可信号取得端子１２１ｃ４と、を備える。グランド外部端子１２１ｃ１は、グランド出力端子１１３ａに接続可能に構成されている。第１外部端子１２１ｃ２は、第１正極出力端子１１３ｂに接続可能に構成されている。識別子出力端子１２１ｃ３は、識別子取得端子１１３ｅに接続可能に構成されている。許可信号取得端子１２１ｃ４は、許可信号出力端子１１３ｆに接続可能に構成されている。
【０２３０】
第１電圧用コネクタ１２１ｃは、情報記憶部１２０ｃ１を備えている。情報記憶部１２０ｃ１は、識別子出力端子１２１ｃ３を介して、識別子取得端子１１３ｅに接続可能に構成されている。情報記憶部１２０ｃ１は、第１電圧用アダプタ１２０ｃに対応した識別子情報を記憶している。なお、識別子情報は、第２出力コネクタ１１３から出力すべき電圧出力状態を表す情報である。情報記憶部１２０ｃ１は、第１電圧用アダプタ１２０ｃに対応した識別子情報として、第１識別子情報ＩＤ１を記憶している。第１識別子情報ＩＤ１は、グランド出力端子１１３ａと第１正極出力端子１１３ｂとを用いて１８Ｖの電圧を出力する電圧出力状態を表す識別子情報である。
【０２３１】
制御部３１は、第１電圧用コネクタ１２１ｃから情報記憶部１２０ｃ１の第１識別子情報ＩＤ１を取得すると、第１識別子情報ＩＤ１に基づいて、第２出力電圧スイッチ部１３７の状態を制御する。制御部３１は、例えば、図１４に示すように、第１スイッチ部ＳＷ１から第６スイッチ部ＳＷ６が全て遮断状態（ＯＦＦ状態）となるように、第２出力電圧スイッチ部１３７の状態を制御する。また、このとき、制御部３１は、第１パック並列接続部３３に接続された複数の電池パック３３ｃ１〜３３ｃ４のうち、出力電圧が最も高い電池パックに対応する個別スイッチ部（複数の個別スイッチ部３３ｂ１〜３３ｂ４のうち１つ）を通電状態（ＯＮ状態）に設定するとともに、そのほかの電池パックに対応する個別スイッチを遮断状態（ＯＦＦ状態）に設定する。さらに、このとき、制御部３１は、第２パック並列接続部３５および第３パック並列接続部３９のそれぞれについて、複数の個別スイッチ部の全てを遮断状態（ＯＦＦ状態）に設定する。
【０２３２】
これにより、第２電力供給装置１１０は、第１パック並列接続部３３に接続された複数の電池パック３３ｃ１〜３３ｃ４を用いて、第２出力コネクタ１１３から１８Ｖの電圧を出力可能な状態となる。なお、図１４では、第２電力供給装置１１０については、第２出力コネクタ１１３の概略構成および第２電池収容本体部１１０ａにおける各スイッチ部の状態を表しており、他の構成については図示を省略している。
【０２３３】
機器接続ケーブル１２３ｃは、第１電圧用コネクタ１２１ｃに電気的に接続されるとともに、機器側ユニット１２５ｃを介して間接的に第６電動機器４０ｆに接続される構成である。機器接続ケーブル１２３ｃは、グランド外部端子１２１ｃ１に接続されるグランド芯線１２３ｃ１と、第１外部端子１２１ｃ２に接続される第１電圧芯線１２３ｃ２と、許可信号取得端子１２１ｃ４に接続される許可信号芯線１２３ｃ３と、を備えている。
【０２３４】
機器側ユニット１２５ｃは、第６電動機器４０ｆのバッテリ装着部４３に着脱可能に構成されている。機器側ユニット１２５ｃは、グランド機器端子１２５ｃ１と、第１機器端子１２５ｃ２と、許可信号機器端子１２５ｃ３と、を備える。
【０２３５】
グランド芯線１２３ｃ１は、第１電圧用コネクタ１２１ｃのグランド外部端子１２１ｃ１と機器側ユニット１２５ｃのグランド機器端子１２５ｃ１とを電気的に接続する。第１電圧芯線１２３ｃ２は、第１電圧用コネクタ１２１ｃの第１外部端子１２１ｃ２と機器側ユニット１２５ｃの第１機器端子１２５ｃ２とを電気的に接続する。許可信号芯線１２３ｃ３は、第１電圧用コネクタ１２１ｃの許可信号取得端子１２１ｃ４と機器側ユニット１２５ｃの許可信号機器端子１２５ｃ３とを電気的に接続する。
【０２３６】
第６電動機器４０ｆは、１８Ｖの電圧が供給されることで駆動可能に構成された電動機器である。第６電動機器４０ｆは、バッテリ装着部４３と、モータ４５と、モータ制御部４７と、駆動用スイッチ４９と、を備える。第６電動機器４０ｆは、第１電動機器４０ａと同一構成であるため、詳細説明は省略する。
【０２３７】
なお、第２電力供給装置１１０は、第１電圧用アダプタ１２０ｃが接続された場合において、第１パック並列接続部３３に接続された全ての電池パックが電圧出力不可能な状態である場合には、第２パック並列接続部３５に接続された電池パック、または第３パック並列接続部３９に接続された電池パックを用いて電圧出力するように、第２出力電圧スイッチ部１３７を制御しても良い。
【０２３８】
［２−３．出力電圧制御］
第２電力供給装置１１０は、第１実施形態の電力供給装置１０と同様に、制御部３１が出力電圧制御処理などの各種制御処理を実行する。
【０２３９】
第２電力供給装置１１０の制御部３１が実行する出力電圧制御処理は、第１実施形態と比べて細部では異なるが、第２出力コネクタ１１３に接続された第２放電アダプタ１２０から識別子情報ＩＤを取得し、その識別子情報ＩＤに応じた電圧出力状態で第２出力コネクタ１１３から電圧出力する処理という点では共通している。よって、ここでは、第２実施形態の出力電圧制御処理に関する説明は省略する。
【０２４０】
なお、第２電力供給装置１１０は、出力電圧制御処理を実行することで、接続された第２放電アダプタ１２０（第３電圧用アダプタ１２０ａ、複数出力用アダプタ１２０ｂ、第１電圧用アダプタ１２０ｃ）の種類を判別して、第２放電アダプタ１２０の種類に応じた電圧出力状態で第２出力コネクタ１１３から電圧出力を行う。
【０２４１】
［２−４．効果］
以上説明したように、第２電力供給システム１０１に備えられる第２電力供給装置１１０は、３個のパック並列接続部３３，３５，３９を備えており、電池パックの出力電圧の３倍の電圧（５４Ｖ）を出力可能に構成されるとともに、電池パックの定格電圧（１８Ｖ）を３系統出力可能に構成されている。
【０２４２】
第２電力供給装置１１０は、複数（６個以上）のパック接続部に接続された複数の電池パックを用いて出力コネクタ１３から電圧出力するにあたり、複数の電池パックを３個のパック並列接続部３３，３５，３９に応じて３つのグループに分類している。第２電力供給装置１１０は、複数の電池パックを３つのグループに分類した上で、第１パック並列接続部３３と第２出力コネクタ１１３（グランド出力端子１１３ａ、第１正極出力端子１１３ｂ）との接続状態を固定状態としつつ、第２パック並列接続部３５と第２出力コネクタ１１３（グランド出力端子１１３ａ、第１正極出力端子１１３ｂ、第２正極出力端子１１３ｃ）との接続状態、および第３パック並列接続部３９と第２出力コネクタ１１３（グランド出力端子１１３ａ、第１正極出力端子１１３ｂ、第２正極出力端子１１３ｃ、第３正極出力端子１１３ｄ）との接続状態、を切り替えるように構成されている。
【０２４３】
このような構成は、複数（６個以上）の電池パックと出力部（第２出力コネクタ）との接続状態を様々なパターンに切り替える構成に比べて、接続状態のパターンを減らすことができるため、第２出力電圧スイッチ部１３７の構成を簡略化できる。これにより、第２電力供給装置１１０は、第２出力電圧スイッチ部１３７のコスト増加を抑制できる。
【０２４４】
そして、制御部３１が、第２出力コネクタ１１３から出力すべき電圧出力状態を判定して、判定結果に基づき第２出力電圧スイッチ部１３７を制御することで、複数の電圧出力状態を切り替えることができ、用途に応じた適切な電圧出力状態を実現できる。
【０２４５】
よって、第２電力供給装置１１０によれば、複数の電圧出力状態を切り替えるにあたり、装置の構成を簡略化することができ、コスト増加を抑制できる。
［３．他の実施形態］
以上、本開示の実施形態について説明したが、本開示は上記実施形態に限定されるものではなく、本開示の要旨を逸脱しない範囲において、様々な態様にて実施することが可能である。
【０２４６】
（３ａ）上記実施形態では、１つのパック並列接続部に備えられるパック接続部の個数（換言すれば、電池パックの個数）が４個の形態について説明したが、パック接続部の個数は４個に限られることはなく、２個以上であれば任意の値を採ることができる。
【０２４７】
また、上記実施形態では、複数のパック並列接続部がそれぞれ備えるパック接続部の個数が同一となる形態について説明したが、複数のパック並列接続部がそれぞれ異なる個数のパック接続部を備える構成であっても良い。
【０２４８】
（３ｂ）本開示の電力供給装置は、装着される電池パックの定格出力電圧は１８Ｖに限られることはなく、定格出力電圧が１８Ｖ以外の電池パックが装着される構成であっても良い。
【０２４９】
（３ｃ）出力部（出力コネクタ）に接続される外部機器側コネクタは、機器側ユニットを介して間接的に電動機器に接続される構成に限られることはなく、電動機器に直接接続される形態であってもよい。
【０２５０】
（３ｄ）電動機器は、例えば、電動ハンマ、電動ハンマドリル、電動ドリル、電動ドライバ、電動レンチ、電動レシプロソー、電動ジグソー、電動カッター、電動チェンソー、電動カンナ、電動鋲打ち機、電動釘打ち機、電動ヘッジトリマ、電動芝刈り機、電動芝生バリカン、電動刈払機、電動クリーナ、電動ブロア、グラインダ等であってもよい。
【０２５１】
（３ｅ）本開示の電力供給装置においては、出力部から電圧出力するときのグランド出力端子、第１正極出力端子、第２正極出力端子のそれぞれの電位は、予め定められた範囲内の電位であってもよい。
【０２５２】
出力部における各端子の電位を予め定められた範囲内に設定することで、出力部に接続された電動機器に対して不適切な電圧が印加されることを抑制できる。つまり、各端子の電位が無制限に変更可能な構成の場合、出力電圧値の設定ミスが生じると、出力部に接続された電動機器に対して不適切な電圧（例えば、過大電圧）が印加されて、電動機器が破損する可能性がある。これに対して、この電力供給装置は、出力部に接続された電動機器に対する不適切な電圧印加を抑制できるため、電動機器の破損を抑制できる。
【０２５３】
（３ｆ）本開示の電力供給装置は、第１パック並列接続部および第２パック並列接続部を収容する電池収容本体部と、出力部と電池収容本体部とを接続する出力延長ケーブルと、を備えてもよい。
【０２５４】
このように、電池収容本体部に対して出力部が出力延長ケーブルを介して接続されることで、電池収容本体部に対する出力部の相対位置を変更することができ、出力コネクタのみを移動させることができるため、様々な使用環境に対応することができる。
【０２５５】
また、本開示の電力供給装置は、第１パック並列接続部および第２パック並列接続部を収容する電池収容本体部を備えるとともに、出力部（出力コネクタ）が電池収容本体部と一体に備えられる構成であってもよい。
【０２５６】
つまり、電力供給装置の構成としては、上記実施形態のように、出力延長ケーブルを備える構成に限られることはなく、例えば、このように、出力部（出力コネクタ）が電池収容本体部と一体に備えられる構成であってもよい。電池収容本体部に対して出力部が一体に備えられることで、電池収容本体部と出力部とが別体に備えられる構成に比べて、シンプルな構造となり、コスト低減を図ることができる。
【０２５７】
（３ｇ）上記第２実施形態では、出力電圧が１８Ｖおよび５４Ｖとなる形態について説明したが、３６Ｖを１系統出力する形態としてもよい。また、複数の系統で電圧出力する形態としては、１８Ｖを３系統出力する形態に限られることはなく、例えば、１８Ｖを１系統と３６Ｖを１系統とを同時に出力する形態としても良い。
【０２５８】
（３ｈ）上記実施形態における１つの構成要素が有する機能を複数の構成要素として分散させたり、複数の構成要素が有する機能を１つの構成要素に統合させたりしてもよい。また、上記実施形態の構成の少なくとも一部を、同様の機能を有する公知の構成に置き換えてもよい。また、上記実施形態の構成の一部を省略してもよい。また、上記実施形態の構成の少なくとも一部を、他の上記実施形態の構成に対して付加又は置換してもよい。なお、特許請求の範囲に記載した文言のみによって特定される技術思想に含まれるあらゆる態様が本開示の実施形態である。
【符号の説明】
【０２５９】
１…電力供給システム、１０…電力供給装置、１０ａ…電池収容本体部、１３…出力コネクタ、１５…出力延長ケーブル、２０…放電アダプタ、２１ａ…第１電圧用コネクタ、２１ｂ…複数出力用コネクタ、２１ｃ…第２電圧用コネクタ、２３ａ，２３ｂ，２３ｃ…機器接続ケーブル、２５ａ，２５ｂ，２５ｃ…機器側ユニット、３１…制御部、３３…第１パック並列接続部、３３ａ１〜３３ａ４…パック接続部、３３ｂ１〜３３ｂ４…個別スイッチ部、３３ｃ１〜３３ｃ４…電池パック、３５…第２パック並列接続部、３５ａ１〜３５ａ４…パック接続部、３５ｂ１〜３５ｂ４…個別スイッチ部、３５ｃ１〜３５ｃ４…電池パック、３７…出力電圧スイッチ部、３９…第３パック並列接続部、１０１…第２電力供給システム、１１０…第２電力供給装置、１１０ａ…第２電池収容本体部、１１３…第２出力コネクタ、１１５…第２出力延長ケーブル、１２０…第２放電アダプタ、１２１ａ…第３電圧用コネクタ、１２１ｂ…複数出力用コネクタ、１２１ｃ…第１電圧用コネクタ、１２３ａ，１２３ｂ，１２３ｃ…機器接続ケーブル、１２５ａ，１２５ｂ，１２５ｃ…機器側ユニット、１２５ｂ１…第１機器側ユニット、１２５ｂ２…第２機器側ユニット、１２５ｂ３…第３機器側ユニット、１３７…第２出力電圧スイッチ部。
【図１】
2020061910.tif 000003
【図２】
2020061910.tif 000004
【図３】
2020061910.tif 000005
【図４】
2020061910.tif 000006
【図５】
2020061910.tif 000007
【図６】
2020061910.tif 000008
【図７】
2020061910.tif 000009
【図８】
2020061910.tif 000010
【図９】
2020061910.tif 000011
【図１０】
2020061910.tif 000012
【図１１】
2020061910.tif 000013
【図１２】
2020061910.tif 000014
【図１３】
2020061910.tif 000015
【図１４】
2020061910.tif 000016